(57)【要約】【課題】室内空間における空調効率を高める。【解決手段】太陽電池装置は、第１仕切部と第２仕切部と複数の太陽電池モジュールとを備える。第１仕切部は、室外と室内とを仕切っている第１透明部材を含む。第２仕切部は、第１仕切部の室内側で、第１仕切部との間に第１空間を挟んだ状態で、室内を第１空間と第１仕切部から離れた第２空間とに仕切る。複数の太陽電池モジュールは、第１空間内で、第１仕切部および第２仕切部から離れており、上下に並んでいる。第２仕切部は、室外から第１透明部材と第１空間とを通過した光を第２空間に向けて透過可能な第２透明部材を含む。各太陽電池モジュールは、第１透明部材側の第１面と第２仕切り部側の第２面とを有し、第１透明部材との間に第１間隔を有し、第２仕切り部との間に第１間隔よりも大きな第２間隔を有する。上下に隣り合う太陽電池モジュールの間の第３間隔は、第１間隔よりも大きく、第２間隔よりも小さい。【選択図】図１
2020129873.tif 000002
【特許請求の範囲】
【請求項１】
室外空間と室内空間とを仕切っている状態で位置している板状またはシート状の第１透明部材を含む第１仕切り部と、
該第１仕切り部の前記室内空間側において、前記第１仕切り部との間に第１空間を挟んでいる状態で位置しているとともに、前記室内空間を前記第１空間と前記第１仕切り部から離れて位置している第２空間とに仕切るように位置している第２仕切り部と、
前記第１空間内において、前記第１仕切り部および前記第２仕切り部から離れているとともに上下方向に並んでいる状態で位置している複数の太陽電池モジュールと、を備え、
前記第２仕切り部は、前記室外空間から前記第１透明部材および前記第１空間を通過した光を前記第２空間に向けて透過させることが可能な板状またはシート状の第２透明部材を含み、
前記複数の太陽電池モジュールのそれぞれは、前記第１透明部材側に位置している第１面と、前記第２仕切り部側に位置している第２面と、を有し、
前記複数の太陽電池モジュールのそれぞれは、前記第１透明部材との間に第１間隔を有するとともに、前記第２仕切り部との間に前記第１間隔よりも大きな第２間隔を有し、
前記複数の太陽電池モジュールのうちの上下方向において隣り合うように位置している太陽電池モジュールの間の第３間隔が、前記第１間隔よりも大きく且つ前記第２間隔よりも小さい、太陽電池装置。
【請求項２】
請求項１に記載の太陽電池装置であって、
前記第１空間から前記室外空間へ排気を行うことが可能である排気部、をさらに備える、太陽電池装置。
【請求項３】
請求項２に記載の太陽電池装置であって、
前記排気部は、前記第１空間から前記第２空間へ排気を行うことが可能である、太陽電池装置。
【請求項４】
請求項１から請求項３の何れか１つの請求項に記載の太陽電池装置であって、
前記第１面および前記第２面のうちの少なくとも一方の面が、凹凸を有する、太陽電池装置。
【請求項５】
請求項４に記載の太陽電池装置であって、
前記第１面の表面積よりも前記第２面の表面積が大きい、太陽電池装置。
【請求項６】
請求項１から請求項５の何れか１つの請求項に記載の太陽電池装置であって、
前記複数の太陽電池モジュールは、前記第１面および前記第２面の双方における受光に応じて発電を行うことが可能である両面受光型の太陽電池モジュールを含み、
前記第２透明部材は、低放射ガラスを含む、太陽電池装置。
【請求項７】
請求項１から請求項６の何れか１つの請求項に記載の太陽電池装置であって、
前記複数の太陽電池モジュールのそれぞれは、前記第１透明部材および前記第２透明部材に対して傾斜することで、前記第１面が斜め上方を向いており且つ前記第２面が斜め下方を向いた状態で位置することが可能であるか、または前記第１透明部材および前記第２透明部材に対して傾斜している状態であるとともに前記第１面が斜め上方を向いており且つ前記第２面が斜め下方を向いた状態で位置している、太陽電池装置。
【請求項８】
請求項１から請求項７の何れか１つの請求項に記載の太陽電池装置であって、
前記第１透明部材は、前記第１空間側に位置している第３面、を有し、
前記太陽電池装置は、前記第１空間内において前記複数の太陽電池モジュールを前記第３面に沿って上下方向に移動させることが可能な移動機構部、を有する、太陽電池装置。
【発明の詳細な説明】
【技術分野】
【０００１】
本開示は、太陽電池装置に関する。
【背景技術】
【０００２】
室外側に位置している板ガラス（外ガラスともいう）と、この外ガラスの室内側に位置しているインナーガラス（内ガラスともいう）と、を有するダブルスキン構造の窓ガラスが知られている。
【０００３】
そして、このダブルスキン構造の窓ガラスを採用して、外ガラスと内ガラスとの間に位置する中間層の空気を、室外空間または室内空間に排気することで、室内空間を適温に維持するシステム（ダブルスキンシステムともいう）が提案されている（例えば、特許文献１の記載を参照）。また、例えば、太陽電池で発生させた電気を、中間層の空気を室外または室内に排気するためのファンの駆動に利用する太陽電池装置が提案されている（例えば、特許文献１の記載を参照）。
【０００４】
また、ダブルスキン構造の窓ガラスに対して太陽電池パネルを取り付けたものも提案されている（例えば、特許文献２の記載を参照）。これは、躯体開口部に嵌め込まれた窓枠に、外ガラスと、開閉可能な内ガラスとを設けた窓構造において、窓枠に透光性太陽電池パネルを着脱可能に取り付けたものである。
【先行技術文献】
【特許文献】
【０００５】
【特許文献１】特許第６４１４７８１号明細書
【特許文献２】特開２０１０−１４４３７５号公報
【発明の概要】
【発明が解決しようとする課題】
【０００６】
太陽電池装置については、室内空間における空調効率を高める点で改善の余地がある。
【課題を解決するための手段】
【０００７】
太陽電池装置が開示される。
【０００８】
太陽電池装置の一態様は、第１仕切り部と、第２仕切り部と、複数の太陽電池モジュールと、を備えている。前記第１仕切り部は、室外空間と室内空間とを仕切っている状態で位置している板状またはシート状の第１透明部材を含む。前記第２仕切り部は、前記第１仕切り部の前記室内空間側において、前記第１仕切り部との間に第１空間を挟んでいる状態で位置しているとともに、前記室内空間を前記第１空間と前記第１仕切り部から離れて位置している第２空間とに仕切るように位置している。前記複数の太陽電池モジュールは、前記第１空間内において、前記第１仕切り部および前記第２仕切り部から離れているとともに上下方向に並んでいる状態で位置している。前記第２仕切り部は、前記室外空間から前記第１透明部材および前記第１空間を通過した光を前記第２空間に向けて透過させることが可能な板状またはシート状の第２透明部材を含む。前記複数の太陽電池モジュールのそれぞれは、前記第１透明部材側に位置している第１面と、前記第２仕切り部側に位置している第２面と、を有する。前記複数の太陽電池モジュールのそれぞれは、前記第１透明部材との間に第１間隔を有するとともに、前記第２仕切り部との間に前記第１間隔よりも大きな第２間隔を有する。さらに、前記複数の太陽電池モジュールのうちの上下方向において隣り合うように位置している太陽電池モジュールの間の第３間隔が、前記第１間隔よりも大きく且つ前記第２間隔よりも小さい。
【発明の効果】
【０００９】
例えば、室内空間における空調効率を高めることが可能な太陽電池装置が実現され得る。
【図面の簡単な説明】
【００１０】
【図１】図１は、第１実施形態に係る太陽電池装置を含む建造物の一室の一例のうちの一部の構成を示す見取図である。
【図２】図２は、図１のII−II線に沿った第１実施形態に係る太陽電池装置の仮想的な切断面部の一例を示す図である。
【図３】図３（ａ）は、太陽電池モジュールの前面側から見た外観の一例を示す正面図である。図３（ｂ）は、図３（ａ）のIIIb−IIIb線に沿った太陽電池モジュールの仮想的な切断面部の一例を示す図である。
【図４】図４（ａ）は、太陽電池素子の第１素子面側から見た外観の一例を示す正面図である。図４（ｂ）は、太陽電池素子の第２素子面側から見た外観の一例を示す裏面図である。
【図５】図５（ａ）は、図４（ａ）および図４（ｂ）のＶa−Ｖa線に沿った太陽電池素子の仮想的な切断面部の一例を示す図である。図５（ｂ）は、図４（ａ）および図４（ｂ）のＶb−Ｖb線に沿った太陽電池素子の仮想的な切断面部の一例を示す図である。図５（ｃ）は、図４（ａ）および図４（ｂ）のＶc−Ｖc線に沿った太陽電池素子の仮想的な切断面部の一例を示す図である。
【図６】図６（ａ）は、給気部の機能的な構成の一例を示すブロック図である。図６（ｂ）は、排気部の機能的な構成の一例を示すブロック図である。図６（ｃ）は、移動部の機能的な構成の一例を示すブロック図である。図６（ｄ）は、太陽電池モジュールで得られる電力の出力態様の一例を示すブロック図である。図６（ｅ）は、太陽電池アレイで得られる電力の出力態様の一例を示すブロック図である。図６（ｆ）は、太陽電池アレイで得られる電力の出力態様および利用態様の一例を示すブロック図である。
【図７】図７（ａ）は、太陽電池装置における給気部および排気部による給排気の制御の第１の例を示す図である。図７（ｂ）は、太陽電池装置における給気部および排気部による給排気の制御の第２の例を示す図である。
【図８】図８（ａ）は、第１実施形態に係る太陽電池装置における太陽電池モジュールの上下移動の第１の態様の一例を示す図である。図８（ｂ）は、第１実施形態に係る太陽電池装置における太陽電池モジュールの上下移動の第２の態様の一例を示す図である。
【図９】図９（ａ）は、第１実施形態に係る太陽電池装置における太陽電池モジュールの上下移動の第１の態様の一例を室内空間の第２空間側から見た外観を示す図である。図９（ｂ）は、第１実施形態に係る太陽電池装置における太陽電池モジュールの上下移動の第２の態様の一例を室内空間の第２空間側から見た外観を示す図である。
【図１０】図１０は、第４実施形態に係る太陽電池装置の一例において太陽電池モジュールが傾斜している状態の一例を示す図である。
【図１１】図１１は、図１のII−II線に沿った太陽電池装置の仮想的な切断面部の一例に対応する第５実施形態に係る太陽電池装置の仮想的な切断面部の一例を示す図である。
【図１２】図１２（ａ）は、第５実施形態に係る太陽電池装置における太陽電池モジュールの上下移動の第１の態様の一例を室内空間の第２空間側から見た外観を示す図である。図１２（ｂ）は、第５実施形態に係る太陽電池装置における太陽電池モジュールの上下移動の第２の態様の一例を室内空間の第２空間側から見た外観を示す図である。
【図１３】図１３は、第６実施形態に係る太陽電池装置を含む建造物の一室の一例のうちの一部の構成を示す見取図である。
【図１４】図１４は、第７実施形態に係る太陽電池装置の一例を室内空間の第２空間側から見た外観を示す図である。
【発明を実施するための形態】
【００１１】
以下、各種実施形態を図面に基づいて説明する。図面においては同様な構成および機能を有する部分に同じ符号が付されており、下記説明では重複説明が省略される。図面は模式的に示されたものである。図１から図５（ｃ）および図７（ａ）から図１４には、右手系のＸＹＺ座標系が付されている。このＸＹＺ座標系では、建造物において水平方向に沿って窓部から室内空間の奥側に向かう方向が＋Ｘ方向とされ、鉛直方向（下方向ともいう）に沿った方向が−Ｚ方向とされ、＋Ｘ方向と＋Ｚ方向（上方向ともいう）との両方に直交する方向が＋Ｙ方向とされている。
【００１２】
＜１．第１実施形態＞
＜１−１．太陽電池装置の概略的な構成＞
図１および図２で示されるように、建造物１は、窓部としての役割を果たす太陽電池装置１０を備えている。第１実施形態では、例えば、図１で示されるように、建造物１の一室における第１壁部Ｓｗ１と第２壁部Ｓｗ２との間において、建造物１の室内空間Ｓｉ１と室外空間Ｓｏ１とを仕切る役割を有する窓部としての太陽電池装置１０が位置している。第１壁部Ｓｗ１および第２壁部Ｓｗ２には、例えば、＋Ｙ方向において対向する２つの側壁部が適用される。図１の例では、第１壁部Ｓｗ１および第２壁部Ｓｗ２のそれぞれは、ＸＺ平面に沿った壁面を有する。別の観点から言えば、例えば、図２で示されるように、建造物１の一室における床部Ｆｒ１と天井部Ｓｅ１との間において、建造物１の室内空間Ｓｉ１と室外空間Ｓｏ１とを仕切る役割を有する窓部としての太陽電池装置１０が位置している。
【００１３】
ここで、図１および図２で示されるように、太陽電池装置１０は、例えば、第１仕切り部１１と、第２仕切り部１２と、太陽電池アレイ１３と、を備えている。また、太陽電池装置１０は、例えば、給気部１４と、排気部１５と、移動部１６と、を備えている。
【００１４】
第１仕切り部１１は、例えば、室外空間Ｓｏ１と室内空間Ｓｉ１とを仕切っている状態で位置している。図１および図２の例では、第１仕切り部１１は、ＹＺ平面に沿って位置している。この第１仕切り部１１は、例えば、板状またはシート状の形状の第１透明部材１１１を有する。第１実施形態では、第１仕切り部１１は、例えば、＋Ｙ方向に並んでいる平板状の複数（ここでは９枚）の第１透明部材１１１と、複数の第１透明部材１１１のそれぞれの外周部を保持している状態で位置している枠体１１２と、を有する。複数の第１透明部材１１１のそれぞれは、例えば、室外空間Ｓｏ１側に位置している面（第１前面ともいう）１１ｆと、室内空間Ｓｉ１側に位置している面（第１裏面ともいう）１１ｂと、を有する。図１および図２の例では、第１前面１１ｆおよび第１裏面１１ｂは、それぞれＹＺ平面に沿って位置している。第１透明部材１１１は、例えば、特定範囲の波長の光に対する透光性を有する。特定範囲の波長には、例えば、太陽光に含まれる強度が高い光の波長であって、太陽電池アレイ１３が光電変換し得る光の波長が適用される。特定範囲には、例えば、太陽光に含まれる可視光線から近赤外線の波長の範囲が含まれ得る。第１透明部材１１１の素材として、例えば、ガラスなどが採用されれば、耐候性と透光性とを有する第１透明部材１１１が実現され得る。第１透明部材１１１の素材として、例えば、アクリルまたはポリカーボネートなどの樹脂が採用されれば、透光性を有する第１透明部材１１１が実現され得る。
【００１５】
第２仕切り部１２は、例えば、第１仕切り部１１の室内空間Ｓｉ１側に位置している。第２仕切り部１２は、例えば、第１仕切り部１１との間に空間（第１空間ともいう）Ｓｐ１を挟んでいる状態で位置している。このため、第２仕切り部１２は、室内空間Ｓｉ１を第１空間Ｓｐ１と、第１仕切り部１１から離れて位置している空間（第２空間ともいう）Ｓｐ２と、に仕切るように位置している。この第２仕切り部１２は、例えば、板状またはシート状の第２透明部材１２１を含む。この第２透明部材１２１は、例えば、室外空間Ｓｏ１から第１透明部材１１１と第１空間Ｓｐ１とを通過した光を第２空間Ｓｐ２に向けて透過させることができる。ここでは、第２空間Ｓｐ２が、室内空間Ｓｉ１のうち、建造物１のユーザが自由に利用可能な空間となる。図１には、机および椅子が配置され得る位置の外縁が２点鎖線で描かれている。
【００１６】
第１実施形態では、第２仕切り部１２は、例えば、＋Ｙ方向に並んでいる平板状の複数（ここでは９枚）の第２透明部材１２１と、複数枚の第２透明部材１２１のそれぞれの外周部を保持している状態で位置している枠体１２２と、を有する。複数の第２透明部材１２１のそれぞれは、例えば、第１空間Ｓｐ１側に位置している面（第２前面ともいう）１２ｆと、第２空間Ｓｐ２側に位置している面（第２裏面ともいう）１２ｂと、を有する。図１および図２の例では、第２前面１２ｆおよび第２裏面１２ｂは、それぞれＹＺ平面に沿って位置している。また、図１および図２の例では、＋Ｘ方向において、１枚の第１透明部材１１１に１枚の第２透明部材１２１が対向するように位置している。換言すれば、＋Ｘ方向において互いに対向している状態にある第１透明部材１１１と第２透明部材１２１との組が９つ存在している。また、第２透明部材１２１は、例えば、可視光線に対する透光性を有する。これにより、例えば、室外空間Ｓｏ１から室内空間Ｓｉ１の第２空間Ｓｐ２への採光が可能となる。第２透明部材１２１の素材には、例えば、ガラスあるいはアクリルまたはポリカーボネートなどの樹脂が適用される。
【００１７】
太陽電池アレイ１３は、例えば、第１空間Ｓｐ１内に位置している複数の太陽電池モジュール１３ｍを有する。換言すれば、太陽電池装置１０は、例えば、室外空間Ｓｏ１側に位置する第１透明部材１１１を含む第１仕切り部１１と、この第１仕切り部１１の室内空間Ｓｉ１側に位置する第２透明部材１２１を含む第２仕切り部１２と、を備える、いわゆるダブルスキン構造の窓部を基本構成として有する。そして、太陽電池装置１０は、室外空間Ｓｏ１側に位置する第１透明部材１１１を含む第１仕切り部１１と、この第１仕切り部１１の室内空間Ｓｉ１側に位置する第２透明部材１２１を含む第２仕切り部１２と、の間の第１空間Ｓｐ１内に、複数の太陽電池モジュール１３ｍを有する。
【００１８】
図１および図２の例では、９組の第１透明部材１１１と第２透明部材１２１との間のそれぞれに、３枚の太陽電池モジュール１３ｍが上下方向としてのＺ方向に並んでいる状態で位置している。そして、合計で２７枚の太陽電池モジュール１３ｍが、ＹＺ平面に沿って２次元的に並んでいる状態で位置している。また、複数の太陽電池モジュール１３ｍのそれぞれは、例えば、第１空間Ｓｐ１の天井部Ｓｅ１側に位置している部分から細長い部材（吊り下げ部材ともいう）Ｐｕ１によって吊り下げられている状態で位置している。吊り下げ部材Ｐｕ１は、例えば、第１吊り下げ部材Ｐｕ１１および第２吊り下げ部材Ｐｕ１２を含む。
【００１９】
ところで、例えば、複数の太陽電池モジュール１３ｍのそれぞれは、第１空間Ｓｐ１内において、第１仕切り部１１および第２仕切り部１２のそれぞれから離れている状態で位置している。換言すれば、例えば、太陽電池モジュール１３ｍと第１仕切り部１１との間に間隙（第１間隙ともいう）Ａ１が位置し、太陽電池モジュール１３ｍと第２仕切り部１２との間に間隙（第２間隙ともいう）Ａ２が位置している。これにより、例えば、太陽電池モジュール１３ｍにおいて第１空間Ｓｐ１内の雰囲気と接する表面の面積が増加し得る。このため、例えば、太陽電池モジュール１３ｍが冷却されやすい。その結果、例えば、太陽電池モジュール１３ｍの光電変換効率が向上し得る。ここで、例えば、第１透明部材１１１と太陽電池モジュール１３ｍとの間隔（第１間隔ともいう）Ｄ１よりも、第２仕切り部１２と太陽電池モジュール１３ｍとの間隔（第２間隔ともいう）Ｄ２の方が大きくなるように設定されている。換言すれば、例えば、複数の太陽電池モジュール１３ｍのそれぞれが、第１透明部材１１１との間に第１間隔Ｄ１を有するとともに、第２仕切り部１２との間に第２間隔Ｄ２を有する。図１および図２の例では、第２間隔Ｄ２は、第２透明部材１２１と太陽電池モジュール１３ｍとの間隔である。このような設定が採用されれば、例えば、太陽電池モジュール１３ｍが室外空間Ｓｏ１からの光（外光ともいう）に応じて発電を行う際に、太陽電池モジュール１３ｍが発する熱が第１空間Ｓｐ１から第２空間Ｓｐ２へ流入しにくくなる。これにより、例えば、室内空間Ｓｉ１の第２空間Ｓｐ２における空調効率を高めることが可能な太陽電池装置１０が実現され得る。なお、本開示において、第１間隔Ｄ１は、太陽電池モジュール１３ｍのうち第１透明部材１１１に最も近い部位から第１透明部材１１１までの最短距離をいい、第２間隔Ｄ２は、太陽電池モジュール１３ｍのうち第２仕切り部１２に最も近い部位から第２仕切り部１２までの最短距離をいう。
【００２０】
また、ここで、例えば、複数の太陽電池モジュール１３ｍのうちの上下方向（Ｚ方向）において隣り合っている状態で位置している太陽電池モジュール１３ｍの間の間隔（第３間隔ともいう）Ｄ３が、第１間隔Ｄ１よりも大きく、且つ第２間隔Ｄ２よりも小さくなるように設定されている。図２の例では、第３間隔Ｄ３は、Ｚ方向において隣り合うように並んでいる状態で位置している２つの太陽電池モジュール１３ｍにおいて、上側（＋Ｚ方向）に位置している太陽電池モジュール１３ｍの下端（−Ｚ方向の端）と、下側（−Ｚ方向）に位置している太陽電池モジュール１３ｍの上端（＋Ｚ方向の端）との間隔である。なお、後述するように、複数の太陽電池モジュール１３ｍのそれぞれは、Ｚ方向に対して傾斜するように、すなわち、通常はＺ方向に平行に配置される第１透明部材１１１および第２透明部材１２１に対して傾斜するように位置する場合があるが、第３間隔Ｄ３は、複数の太陽電池モジュール１３ｍのそれぞれがＺ方向に平行に位置している場合のＺ方向の太陽電池モジュール１３ｍの間の間隔をいう。すなわち、第３間隔Ｄ３は、Ｚ方向に平行に配置される第１透明部材１１１および第２透明部材１２１に対して複数の太陽電池モジュール１３ｍが平行に位置している場合のＺ方向の太陽電池モジュール１３ｍの間の間隔をいう。
【００２１】
このような設定が採用されれば、例えば、太陽電池モジュール１３ｍと第１仕切り部１１との間の第１間隙Ａ１に存在する空気が、上下方向において隣り合っている状態で位置している太陽電池モジュール１３ｍの第３間隔Ｄ３の間隙（第３間隙ともいう）Ａ３を通って、太陽電池モジュール１３ｍと第２仕切り部１２との間の第２間隙Ａ２に抜けやすくなる。また、その際に、太陽電池モジュール１３ｍの端面も第３間隙Ａ３を流通する空気に接することになるので、太陽電池モジュール１３ｍが効果的に冷却されやすくなる。その結果、例えば、太陽電池モジュール１３ｍの光電変換効率が向上し得る。
【００２２】
ここで、例えば、太陽電池装置１０の基本構成としてのダブルスキン構造の窓部において、第１仕切り部１１と第２仕切り部１２との間隔が広い程、第１空間Ｓｐ１が大きくなる。この場合には、例えば、室外空間Ｓｏ１と室内空間Ｓｉ１との間における断熱効果が大きくなり、室内空間Ｓｉ１の第２空間Ｓｐ２における空調効率が高まり得る。その一方で、例えば、第１仕切り部１１と第２仕切り部１２との間隔が狭い程、第１空間Ｓｐ１が小さくなる。この場合には、例えば、室内空間Ｓｉ１において自由に使用可能な第２空間Ｓｐ２が広くなり、室内空間Ｓｉ１の有効活用が図られ得る。上記の相反する２つの観点を踏まえれば、例えば、第１間隔Ｄ１と第２間隔Ｄ２との和を１５０ｍｍから１０００ｍｍ程度に設定する態様が考えられる。このとき、第３間隔Ｄ３が、第１間隔Ｄ１よりも大きく、第２間隔Ｄ２よりも小さければ、複数の太陽電池モジュール１３ｍを上下方向において互いに近接させるように位置させて、複数の太陽電池モジュール１３ｍにおける所望の発電量を確保し得るとともに、第１間隙Ａ１に存在する空気が第３間隙Ａ３を通って適度に第２間隙Ａ２に抜けやすくなり、上述の効果を得ながら、太陽電池モジュール１３ｍを効果的に冷却し得る。この場合、第３間隔Ｄ３を、例えば、５０ｍｍから５００ｍｍ程度に設定することが考えられる。
【００２３】
ここでは、例えば、上述したように、第２間隔Ｄ２が第１間隔Ｄ１よりも大きければ、太陽電池モジュール１３ｍと第２仕切り部１２との第２間隔Ｄ２がある程度確保されて、光電変換に伴って太陽電池モジュール１３ｍが発する熱が第１空間Ｓｐ１から第２空間Ｓｐ２へ流入しにくくなる。また、例えば、第１間隔Ｄ１が小さい程、天井部Ｓｅ１の存在に起因して生じる影が、太陽電池モジュール１３ｍにかかりにくい。このため、例えば、第２間隔Ｄ２を第１間隔Ｄ１の２倍以上に設定することが考えられる。さらに、例えば、第２間隔Ｄ２を第１間隔Ｄ１で除した値（＝Ｄ２／Ｄ１）を５以上とすれば、第１空間Ｓｐ１内において、天井部Ｓｅ１の存在に起因して生じる影がかからないように太陽電池モジュール１３ｍを配置する自由度が高まり得る。その一方で、例えば、第１仕切り部１１と太陽電池モジュール１３ｍとの第１間隔Ｄ１が極端に小さければ、第１仕切り部１１と太陽電池モジュール１３ｍとの間の第１間隙Ａ１に空気の流れが生じにくくなる。このため、例えば、第２間隔Ｄ２を第１間隔Ｄ１で除した値（＝Ｄ２／Ｄ１）を２０以下とすれば、太陽電池モジュール１３ｍにおいて発熱による光電変換効率の低下が生じにくい。この場合、第１間隔Ｄ１を、例えば、３０ｍｍから１００ｍｍ程度に設定することが考えられる。
【００２４】
したがって、例えば、第２間隔Ｄ２を第１間隔Ｄ１で除した値（＝Ｄ２／Ｄ１）を５から２０とすれば、室外空間Ｓｏ１と室内空間Ｓｉ１との間における断熱効果および太陽電池モジュール１３ｍの配置の自由度が高まり、太陽電池モジュール１３ｍにおいて発熱による光電変換効率の低下が生じにくい。
【００２５】
また、ここで、例えば、複数の太陽電池モジュール１３ｍのうちの左右方向（Ｙ方向）において隣り合うように並んでいる状態で位置している太陽電池モジュール１３ｍの間の間隔（第４間隔ともいう）Ｄ４が、第１間隔Ｄ１よりも大きく且つ第２間隔Ｄ２よりも小さくなるように設定されていてもよい。図１の例では、第４間隔Ｄ４は、Ｙ方向において隣り合うように並んでいる状態で位置している２つの太陽電池モジュール１３ｍにおいて、左側（＋Ｙ方向）に位置している太陽電池モジュール１３ｍの右端（−Ｙ方向の端）と、右側（−Ｙ方向）に位置している太陽電池モジュール１３ｍの左端（＋Ｙ方向の端）との間隔である。なお、後述するように、複数の太陽電池モジュール１３ｍのそれぞれは、Ｚ方向に対して傾斜するように、すなわち、通常はＺ方向に平行に配置される第１透明部材１１１および第２透明部材１２１に対して傾斜するように位置する場合があるが、第４間隔Ｄ４は、複数の太陽電池モジュール１３ｍのそれぞれがＺ方向に平行に位置している場合のＹ方向の太陽電池モジュール１３ｍの間の間隔をいう。すなわち、第４間隔Ｄ４は、Ｚ方向に平行に配置される第１透明部材１１１および第２透明部材１２１に対して複数の太陽電池モジュール１３ｍが平行に位置している場合のＹ方向の太陽電池モジュール１３ｍの間の間隔をいう。
【００２６】
このような設定が採用されれば、例えば、太陽電池モジュール１３ｍと第１仕切り部１１との間の第１間隙Ａ１に存在する空気が、左右方向において隣り合うように並んでいる状態で位置している太陽電池モジュール１３ｍの第４間隔Ｄ４の間隙（第４間隙ともいう）Ａ４を通って、太陽電池モジュール１３ｍと第２仕切り部１２との間の第２間隙Ａ２に抜けやすくなる。また、その際に、太陽電池モジュール１３ｍの端面も第４間隙Ａ４を流通する空気に接することになるので、太陽電池モジュール１３ｍが効果的に冷却されやすくなる。その結果、例えば、太陽電池モジュール１３ｍの光電変換効率が向上し得る。
【００２７】
このとき、第４間隔Ｄ４が、第１間隔Ｄ１よりも大きく、第２間隔Ｄ２よりも小さければ、複数の太陽電池モジュール１３ｍを左右方向において互いに近接させるように位置させて、複数の太陽電池モジュール１３ｍにおける所望の発電量を確保し得るとともに、第１間隙Ａ１に存在する空気が第４間隙Ａ４を通って適度に第２間隙Ａ２に抜けやすくなり、上述の効果を得ながら、太陽電池モジュール１３ｍを効果的に冷却し得る。この場合、第４間隔Ｄ４を、例えば、５０ｍｍから５００ｍｍ程度に設定することが考えられる。
【００２８】
＜１−２．太陽電池モジュールの構成＞
図３（ａ）および図３（ｂ）で示されるように、複数の太陽電池モジュール１３ｍのそれぞれは、第１面Ｓｆ１と、この第１面Ｓｆ１の逆側に位置している第２面Ｓｆ２と、を有する。図１および図２で示されるように、第１面Ｓｆ１は、第１透明部材１１１側に位置している面である。換言すれば、第１面Ｓｆ１は、第１透明部材１１１側に向いて位置している。これにより、例えば、第１面Ｓｆ１には、第１透明部材１１１を透過した光が主に入射し得る。また、図１および図２で示されるように、第２面Ｓｆ２は、第２仕切り部１２側に位置している面である。換言すれば、第２面Ｓｆ２は、第２仕切り部１２側に向いて位置している。これにより、例えば、第２面Ｓｆ２には、第１透明部材１１１を透過して第２仕切り部１２の表面で反射された光が入射し得る。図１および図２の例では、第１面Ｓｆ１および第２面Ｓｆ２は、それぞれＹＺ平面に沿った面である。例えば、第１面Ｓｆ１が南向きに位置していれば、第１面Ｓｆ１に対する太陽光の照射光量が増大し得る。第１実施形態では、複数の太陽電池モジュール１３ｍのそれぞれには、例えば、第１面Ｓｆ１および第２面Ｓｆ２の双方における受光に応じて発電を行うタイプ（両面受光型ともいう）の太陽電池モジュールが適用されている。
【００２９】
複数の太陽電池モジュール１３ｍのそれぞれは、第１面Ｓｆ１と第２面Ｓｆ２とを接続するように位置している端面Ｅｓ１を有する。第１実施形態では、第１面Ｓｆ１および第２面Ｓｆ２は、それぞれ長方形状の形状を有する。この場合には、端面Ｅｓ１は、＋Ｚ方向に向いている第１端面Ｅｓ１１、−Ｙ方向を向いている第２端面Ｅｓ１２、−Ｚ方向を向いている第３端面Ｅｓ１３および＋Ｙ方向を向いている第４端面Ｅｓ１４を含む。ここでは、図２および図３（ａ）で示されるように、例えば、複数の太陽電池モジュール１３ｍのそれぞれにおいては、第１面Ｓｆ１のうちの予め設定された部分（第１被吊り下げ部分ともいう）Ｐｐ１に第１吊り下げ部材Ｐｕ１１が連結されている。第１被吊り下げ部分Ｐｐ１は、例えば、第２端面Ｅｓ１２と第３端面Ｅｓ１３とが成す角部および第４端面Ｅｓ１４と第３端面Ｅｓ１３とが成す角部のそれぞれの近傍に位置している。また、例えば、複数の太陽電池モジュール１３ｍのそれぞれにおいては、第２面Ｓｆ２のうちの予め設定された部分（第２被吊り下げ部分ともいう）Ｐｐ２に第２吊り下げ部材Ｐｕ１２が連結されている。第２被吊り下げ部分Ｐｐ２は、例えば、第１端面Ｅｓ１１と第２端面Ｅｓ１２とが成す角部および第４端面Ｅｓ１４と第１端面Ｅｓ１１とが成す角部のそれぞれの近傍に位置している。
【００３０】
図３（ａ）および図３（ｂ）で示されるように、太陽電池モジュール１３ｍは、例えば、第１保護部材Ｐｒ１と、第２保護部材Ｐｒ２と、太陽電池部Ｓｌ１と、充填材Ｆｌ１と、パッキング部Ｐｋ１と、を有する。ここでは、例えば、第１保護部材Ｐｒ１と第２保護部材Ｐｒ２とが太陽電池部Ｓｌ１を挟むように位置している。第１保護部材Ｐｒ１は、例えば、太陽電池モジュール１３ｍの第１面Ｓｆ１を構成している状態で位置している。第２保護部材Ｐｒ２は、例えば、太陽電池モジュール１３ｍの第２面Ｓｆ２を構成している状態で位置している。
【００３１】
第１保護部材Ｐｒ１は、例えば、特定範囲の波長の光に対する透光性を有する。特定範囲の波長には、例えば、太陽光に含まれる強度が高い光の波長であって、太陽電池部Ｓｌ１が光電変換し得る光の波長が適用される。これにより、例えば、第１面Ｓｆ１に照射される光が、第１保護部材Ｐｒ１を太陽電池部Ｓｌ１に向けて透過し得る。ここで、第１保護部材Ｐｒ１には、例えば、屈折率が１．４から１．８程度の平板状のガラス板が適用される。これにより、第１保護部材Ｐｒ１は、例えば、太陽電池部Ｓｌ１を第１面Ｓｆ１側から保護することができる。
【００３２】
第２保護部材Ｐｒ２は、例えば、第１保護部材Ｐｒ１と同様に、特定範囲の波長の光に対する透光性を有する。これにより、例えば、第２面Ｓｆ２に照射される光が、第２保護部材Ｐｒ２を太陽電池部Ｓｌ１に向けて透過し得る。このため、例えば、第１面Ｓｆ１に照射される光だけでなく、第２面Ｓｆ２に照射される光も、太陽電池部Ｓｌ１における光電変換に利用される。第２保護部材Ｐｒ２には、例えば、屈折率が１．４から１．８程度の平板状のガラス板が適用される。これにより、第２保護部材Ｐｒ２は、例えば、太陽電池部Ｓｌ１を第２面Ｓｆ２側から保護することができる。
【００３３】
太陽電池部Ｓｌ１は、例えば、第１保護部材Ｐｒ１と第２保護部材Ｐｒ２との間の領域（板間領域ともいう）Ａ０に位置している。図３（ａ）および図３（ｂ）で示されるように、太陽電池部Ｓｌ１は、例えば、複数の太陽電池素子Ｃ１を有する。第１実施形態では、複数の太陽電池素子Ｃ１は、例えば、第１保護部材Ｐｒ１の板面に沿って位置するように平面的に配列された状態で位置している。具体的には、複数の太陽電池素子Ｃ１は、例えば、ＹＺ平面に沿って２次元的に並んでいる状態で位置している。また、太陽電池部Ｓｌ１は、例えば、複数の第１配線材Ｗ１と、複数の第２配線材Ｗ２と、を有する。太陽電池部Ｓｌ１は、例えば、複数（ここでは１０個）の太陽電池ストリングＳｔ１を含む。太陽電池ストリングＳｔ１は、例えば、複数（ここでは５個）の太陽電池素子Ｃ１と、複数の第１配線材Ｗ１と、を含む。複数の第１配線材Ｗ１は、例えば、複数の太陽電池素子Ｃ１のうちの相互に隣り合う太陽電池素子Ｃ１をそれぞれ電気的に接続している状態にある。複数の第２配線材Ｗ２は、複数の太陽電池ストリングＳｔ１のうちの相互に隣り合う太陽電池ストリングＳｔ１同士をそれぞれ電気的に接続している状態にある。図３（ａ）の例では、最も第２端面Ｅｓ１２の近くに位置している太陽電池ストリングＳｔ１に接続された第２配線材Ｗ２と、最も第４端面Ｅｓ１４の近くに位置している太陽電池ストリングＳｔ１に接続された第２配線材Ｗ２と、が太陽電池モジュール１３ｍの外部に引き出されている状態で位置する態様が考えられる。この場合には、２本の第２配線材Ｗ２が、例えば、第２保護部材Ｐｒ２を貫通するように位置している孔部を介して、太陽電池モジュール１３ｍの外部に引き出された状態で位置する態様が考えられる。ここで、太陽電池モジュール１３ｍの外部に引き出された状態にある２本の第２配線材Ｗ２は、例えば、端子ボックスなどを介して、第１吊り下げ部材Ｐｕ１１および第２吊り下げ部材Ｐｕ１２などに沿って位置している配線に電気的に接続される態様が考えられる。このような態様によれば、例えば、太陽電池モジュール１３ｍにおける発電で得られた電力は、太陽電池アレイ１３の外に出力され得る。
【００３４】
充填材Ｆｌ１は、第１保護部材Ｐｒ１と第２保護部材Ｐｒ２との間の板間領域Ａ０において太陽電池部Ｓｌ１を覆うように位置している。第１実施形態では、充填材Ｆｌ１は、例えば、第１保護部材Ｐｒ１と第２保護部材Ｐｒ２との間の板間領域Ａ０に充填されるように位置している。充填材Ｆｌ１は、例えば、第１保護部材Ｐｒ１側に位置している部分（第１充填部分ともいう）Ｆｌ１ｕと、第２保護部材Ｐｒ２側に位置している部分（第２充填部分ともいう）Ｆｌ１ｂと、を含む。第１充填部分Ｆｌ１ｕは、例えば、太陽電池部Ｓｌ１の第１保護部材Ｐｒ１側の全面を覆うように位置している。第２充填部分Ｆｌ１ｂは、例えば、太陽電池部Ｓｌ１の第２保護部材Ｐｒ２側の全面を覆うように位置している。このため、太陽電池部Ｓｌ１は、例えば、第１充填部分Ｆｌ１ｕと第２充填部分Ｆｌ１ｂとによって挟み込まれるように囲まれた状態にある。これにより、例えば、充填材Ｆｌ１の存在によって太陽電池部Ｓｌ１の姿勢が保たれ得る。
【００３５】
また、充填材Ｆｌ１は、例えば、透光性を有する。ここで、例えば、第１充填部分Ｆｌ１ｕおよび第２充填部分Ｆｌ１ｂの双方が透光性を有していれば、第１面Ｓｆ１側からの入射光および第２面Ｓｆ２側からの入射光の双方が、太陽電池部Ｓｌ１まで到達し得る。充填材Ｆｌ１の素材には、例えば、第１保護部材Ｐｒ１および第２保護部材Ｐｒ２に近いかまたは略同一の屈折率を有し、特定範囲の波長の光に対する透光性が優れた素材が適用される。具体的には、充填材Ｆｌ１の素材には、例えば、エチレン酢酸ビニル共重合体（ＥＶＡ）、オレフィン樹脂、トリアセチルセルロース（ＴＡＣ）およびポリエチレンナフタレート（ＰＥＮ）などのポリエステル樹脂などのうちの１種以上の素材が適用される。ここで、例えば、第１保護部材Ｐｒ１と第１充填部分Ｆｌ１ｕとが近いかまたは略同一の屈折率を有していれば、第１面Ｓｆ１に照射される光は、第１保護部材Ｐｒ１と第１充填部分Ｆｌ１ｕとの界面で反射しにくく、太陽電池部Ｓｌ１まで到達しやすい。また、例えば、第２保護部材Ｐｒ２と第２充填部分Ｆｌ１ｂとが近いかまたは略同一の屈折率を有していれば、第２面Ｓｆ２に照射される光は、第２保護部材Ｐｒ２と第２充填部分Ｆｌ１ｂとの界面で反射しにくく、太陽電池部Ｓｌ１まで到達しやすい。
【００３６】
パッキング部Ｐｋ１は、例えば、板間領域Ａ０のうち、外部空間に対して開口している環状の部分（環状開口部ともいう）に沿って位置している。第１実施形態では、パッキング部Ｐｋ１は、例えば、太陽電池部Ｓｌ１および充填材Ｆｌ１を含む領域の外周部分を囲むように位置している。ここでは、パッキング部Ｐｋ１は、例えば、第１保護部材Ｐｒ１から第２保護部材Ｐｒ２に至る領域を埋めるように位置している。ここで、例えば、パッキング部Ｐｋ１が、充填材Ｆｌ１よりも低い透湿度を有していれば、パッキング部Ｐｋ１は、板間領域Ａ０のうちの外周部に沿った部分を封止することができる。これにより、パッキング部Ｐｋ１は、例えば、太陽電池モジュール１３ｍの外部から太陽電池部Ｓｌ１に向けた水分などの侵入を低減することができる。パッキング部Ｐｋ１の素材には、例えば、ブチル系の樹脂、ポリイソプロピレン系の樹脂またはアクリル系の樹脂などが適用される。パッキング部Ｐｋ１の素材は、例えば、透湿度が低い素材であれば、銅もしくは半田などの金属あるいはガラスなどの非金属を含むものでもよい。パッキング部Ｐｋ１は、例えば、銅箔を半田付けで接着したものであってもよいし、ガラスをレーザーなどで溶融させた後に凝固させたものであってもよい。
【００３７】
太陽電池モジュール１３ｍは、例えば、端子ボックスを有していてもよいし、外周部に沿って位置しているフレーム部材を有していてもよい。端子ボックスは、例えば、太陽電池モジュール１３ｍの第２面Ｓｆ２上または端面Ｅｓ１上などに位置し、太陽電池モジュール１３ｍにおける発電で得られた電気を外部に出力することができる。
【００３８】
＜１−３．太陽電池素子の構成＞
複数の太陽電池素子Ｃ１のそれぞれは、例えば、光エネルギーを電気エネルギーに変換することができる。図４（ａ）および図４（ｂ）で示されるように、複数の太陽電池素子Ｃ１のそれぞれは、表（おもて）面側に位置している面（第１素子面ともいう）Ｆｓ１と、この第１素子面Ｆｓ１の逆側に位置している面（第２素子面ともいう）Ｆｓ２と、を有する。図４（ａ）および図４（ｂ）の例では、第１素子面Ｆｓ１が、−Ｘ方向を向いており、第２素子面Ｆｓ２が、＋Ｘ方向を向いている。この場合には、例えば、第１素子面Ｆｓ１が主として光が入射する前面とされ、第２素子面Ｆｓ２が前面よりも光が入射しない裏面とされている。第１実施形態では、図４（ａ）から図５（ｃ）で示されるように、複数の太陽電池素子Ｃ１のそれぞれは、半導体基板２と、反射防止膜３と、パッシベーション膜４と、保護層５と、前面電極６と、裏面電極７と、を有する。太陽電池素子Ｃ１では、例えば、第１素子面Ｆｓ１側の一部に前面電極６が位置し、第２素子面Ｆｓ２側の一部に裏面電極７が位置している。このため、第１実施形態に係る太陽電池素子Ｃ１は、第１素子面Ｆｓ１および第２素子面Ｆｓ２の双方に入射する光を発電に利用するタイプ（両面受光型）の太陽電池素子である。
【００３９】
図５（ａ）から図５（ｃ）で示されるように、半導体基板２は、第１板面２ｕと、第２板面２ｂと、側面２ｓと、を有する。第２板面２ｂは、第１板面２ｕとは逆側に位置している。側面２ｓは、第１板面２ｕと第２板面２ｂとを接続している状態で位置している。図５（ａ）から図５（ｃ）の例では、第１板面２ｕが−Ｘ方向の側に位置し、第２板面２ｂが＋Ｘ方向の側に位置している。
【００４０】
半導体基板２は、例えば、第１導電型を有する領域（第１半導体領域ともいう）２１と、第１導電型とは逆の第２導電型を有する領域（第２半導体領域ともいう）２２と、を有する。第１半導体領域２１は、例えば、半導体基板２の第２板面２ｂ側に位置している。第２半導体領域２２は、例えば、半導体基板２の第１板面２ｕ側の表層部に位置している。ここで、例えば、第１導電型がｐ型である場合には、第２導電型がｎ型となる。また、例えば、第１導電型がｎ型である場合には、第２導電型がｐ型となる。これにより、半導体基板２は、第１半導体領域２１と第２半導体領域２２との界面に位置しているｐｎ接合部を有する。
【００４１】
ここで、例えば、半導体基板２がシリコン基板であれば、シリコン基板として、例えば、多結晶または単結晶のシリコン基板が採用される。シリコン基板は、例えば、２５０μｍ以下あるいは１５０μｍ以下の厚さを有する。また、シリコン基板は、例えば、平面視して矩形状の外形を有する。このような形状を有する半導体基板２が採用されれば、複数の太陽電池素子Ｃ１を並べて太陽電池モジュール１３ｍが製造される際に、太陽電池素子Ｃ１同士の間の隙間が小さくなり得る。ここでは、例えば、第１導電型がｐ型であるとともに第２導電型がｎ型である場合には、例えば、多結晶あるいは単結晶のシリコンの結晶に、ドーパント元素として、ボロンあるいはガリウムなどの不純物を含有させることで、ｐ型のシリコン基板が製作され得る。この場合には、ｐ型のシリコン基板の第１板面２ｕ側の表層部にｎ型のドーパントとしてのリンなどの不純物を拡散させることで、ｎ型の第２半導体領域２２が生成され得る。このとき、ｐ型の第１半導体領域２１とｎ型の第２半導体領域２２とが積層されたｐｎ接合部を有する半導体基板２が形成され得る。ここで、半導体基板２の第１板面２ｕは、例えば、照射された光の反射を低減するための微細な凹凸構造（テクスチャ）を有していてもよい。
【００４２】
また、例えば、半導体基板２のうちの第２板面２ｂ側の表層部に、第１半導体領域２１の第１導電型（例えばｐ型）と同じである第１導電型を有する第３半導体領域２３が存在していてもよい。このとき、例えば、第３半導体領域２３が含有するドーパントの濃度が、第１半導体領域２１が含有するドーパントの濃度よりも高ければ、第３半導体領域２３は、半導体基板２の第２板面２ｂ側において内部電界を形成するＢＳＦ（Back Surface Field）層としての役割を果たす。これにより、半導体基板２の第２板面２ｂの近傍では、半導体基板２において光の照射に応じた光電変換によって生じる少数キャリアの再結合が低減され得る。その結果、太陽電池素子Ｃ１における光電変換効率の低下が生じにくい。第３半導体領域２３は、例えば、半導体基板２のうちの第２板面２ｂ側の表層部に、アルミニウムなどのドーパント元素が拡散されることで形成され得る。
【００４３】
反射防止膜３は、例えば、半導体基板２の第１板面２ｕ側に位置している。図５（ａ）から図５（ｃ）の例では、反射防止膜３は、第１板面２ｕ上に位置している。この反射防止膜３は、例えば、太陽電池素子Ｃ１の第１素子面Ｆｓ１に照射される光の反射率を低減することができる。反射防止膜３の素材には、例えば、酸化シリコン、酸化アルミニウムまたは窒化シリコンなどが適用され得る。反射防止膜３の屈折率および厚さは、例えば、太陽光のうち、半導体基板２に吸収されて発電に寄与し得る波長範囲の光に対して、反射率が低い条件（低反射条件ともいう）を実現することが可能な値に適宜設定される。ここで、例えば、反射防止膜３の屈折率が、１．８から２．５程度とされ、反射防止膜３の厚さが、５０ｎｍから１２０ｎｍ程度とされる。反射防止膜３は、例えば、ＰＥＣＶＤ（Plasma-Enhanced Chemical Vapor Deposition）法またはスパッタリング法を用いて形成され得る。
【００４４】
パッシベーション膜４は、半導体基板２の少なくとも第２板面２ｂの上に位置している。第１実施形態では、パッシベーション膜４は、半導体基板２の第２板面２ｂに接している。パッシベーション膜４は、例えば、半導体基板２において光の照射に応じた光電変換で生成される少数キャリアの再結合を低減することができる。パッシベーション膜４の素材としては、例えば、酸化アルミニウム、酸化ジルコニウム、酸化ハフニウム、酸化シリコン、窒化シリコンおよび酸窒化シリコンなどから選択される１種類以上の素材が採用される。パッシベーション膜４は、例えば、１種類の素材の１層の膜であってもよいし、異なる素材の２層以上の膜が積層された状態のものであってもよい。具体的には、パッシベーション膜４として、例えば、酸化アルミニウムの１層の膜などが採用されてもよいし、酸化シリコンの膜と酸化アルミニウムの膜とがこの記載順に積層された状態の膜などが採用されてもよい。パッシベーション膜４は、例えば、ＡＬＤ（Atomic Layer Deposition）法で形成され得る。ここで、パッシベーション膜４は、例えば、半導体基板２の第２板面２ｂにおけるダングリングボンドの終端化および電界効果などによって、少数キャリアの再結合を低減することができる。また、例えば、パッシベーション膜４の素材として酸化アルミニウムが採用される場合には、酸化アルミニウムは負の固定電荷を有する。このため、電界効果によって、半導体基板２の第２板面２ｂ側で生じる少数キャリア（この場合は電子）が、ｐ型の第１半導体領域２１とパッシベーション膜４との界面（第２板面２ｂ）から遠ざけられる。これにより、半導体基板２のうちの第２板面２ｂの近傍における少数キャリアの再結合が低減され得る。その結果、太陽電池素子Ｃ１の光電変換効率が向上し得る。パッシベーション膜４の厚さは、例えば、１０ｎｍから６０ｎｍ程度とされる。パッシベーション膜４は、例えば、半導体基板２の第１板面２ｕの上に位置していてもよいし、半導体基板２の第１板面２ｕと第２板面２ｂとを接続する側面２ｓ上に位置していてもよい。
【００４５】
また、パッシベーション膜４は、例えば、複数の孔部を有する。複数の孔部は、保護層５およびパッシベーション膜４を連続して貫通している状態の複数の孔部（貫通孔ともいう）４５ｈのうち、パッシベーション膜４を貫通している状態にある部分である。
【００４６】
保護層５は、例えば、半導体基板２の第２板面２ｂ側に位置している。第１実施形態では、保護層５は、例えば、半導体基板２の第２板面２ｂ上に位置しているパッシベーション膜４上に位置している。別の観点から言えば、保護層５は、例えば、パッシベーション膜４と裏面電極７との間に位置している。そして、保護層５は、パッシベーション膜４上においてこのパッシベーション膜４を覆っている状態にある。これにより、保護層５は、例えば、パッシベーション膜４を保護することができる。換言すれば、太陽電池素子Ｃ１を製造する際および太陽電池素子Ｃ１を使用する際の双方において、保護層５の存在によって、太陽電池素子Ｃ１の外部からパッシベーション膜４まで水分などが到達しにくい。これにより、パッシベーション膜４が劣化しにくくなる。保護層５は、例えば、半導体基板２の側面２ｓ上に形成されてもよい。このとき、保護層５の存在により、太陽電池素子Ｃ１でリーク電流が生じにくくなる。
【００４７】
保護層５は、例えば、パッシベーション膜４上において、所望のパターンを有する状態で位置している。保護層５は、厚さ方向（ここでは＋Ｘ方向）にこの保護層５を貫通している状態の複数の孔部を有する。複数の孔部は、例えば、保護層５およびパッシベーション膜４を連続して貫通している状態の複数の貫通孔４５ｈのうち、保護層５を貫通している状態にある部分である。各貫通孔４５ｈは、例えば、第２板面２ｂに沿った周囲が閉じられた貫通孔であってもよいし、第２板面２ｂに沿った周囲の少なくとも一部が開口しているスリット状の孔部であってもよい。
【００４８】
保護層５は、例えば、半導体基板２の第２板面２ｂ上に形成されたパッシベーション膜４上に、湿式のプロセスまたは乾式のプロセスによって形成される。湿式のプロセスには、例えば、絶縁性ペーストの塗布、乾燥および加熱を行う方法などが適用される。乾式のプロセスには、例えば、ＰＥＣＶＤ法またはスパッタリング法などを用いた方法などが適用される。ここで、例えば、保護層５が窒化シリコンなどの薄膜である場合には、ＰＥＣＶＤ法またはスパッタリング法などを用いて保護層５が形成され得る。このとき、半導体基板２の第２板面２ｂ側に、例えば、レーザー装置を用いてレーザービームを照射して、所望のパターンを有する複数の孔部が形成されてもよい。レーザー装置には、例えば、Ｑスイッチ付きＮｄ：ＹＡＧ（ネオジムドープ、イットリウム・アルミニウム・ガーネット）レーザーなどが適用される。このとき、半導体基板２の第２板面２ｂ側に、例えば、マスクを用いて所望のパターンを有する複数の孔部が形成されてもよい。また、例えば、保護層５がシロキサン樹脂などを含む薄膜である場合には、パッシベーション膜４上に絶縁性ペーストが、スクリーン印刷法などの塗布法によって所望のパターンを有するように塗布された上で、乾燥されることで、保護層５が形成され得る。絶縁性ペーストには、例えば、保護層５の原料となるシロキサン樹脂と、有機溶剤と、複数のフィラーと、を含む絶縁性のペーストが適用される。シロキサン樹脂は、Ｓｉ−Ｏ−Ｓｉ結合（シロキサン結合ともいう）を有するシロキサン化合物である。具体的には、シロキサン樹脂としては、例えば、アルコキシシランまたはシラザンなどを加水分解させて縮合重合させることで生成された、分子量が１万５千以下の低分子量の樹脂が採用される。有機溶剤としては、例えば、シロキサン樹脂および多数の粒状体を分散させる溶剤が採用される。
【００４９】
図４（ａ）および図５（ａ）から図５（ｃ）で示されるように、前面電極６は、例えば、半導体基板２の第１板面２ｕ側に位置している。第１実施形態では、前面電極６は、半導体基板２の第１板面２ｕ上に位置している。前面電極６は、例えば、第１出力取出電極６ａと、第１集電電極６ｂと、を有する。
【００５０】
第１出力取出電極６ａは、半導体基板２の第１板面２ｕ側に位置している。第１出力取出電極６ａは、例えば、半導体基板２における光の照射に応じた光電変換で得られたキャリアを太陽電池素子Ｃ１の外部に取り出すことができる。図４（ａ）および図５（ａ）から図５（ｃ）の例では、半導体基板２の第１板面２ｕ側に、２本の第１出力取出電極６ａが存在している。各第１出力取出電極６ａは、第１板面２ｕに沿った長手方向を有する。この長手方向は＋Ｚ方向である。第１出力取出電極６ａの少なくとも一部は、第１集電電極６ｂと交差して電気的に接続されている状態にある。
【００５１】
第１集電電極６ｂは、半導体基板２の第１板面２ｕ側に位置している。第１集電電極６ｂは、例えば、半導体基板２における光の照射に応じた光電変換で得られたキャリアを集めることができる。図４（ａ）および図５（ａ）の例では、半導体基板２の第１板面２ｕ側に、複数本の第１集電電極６ｂが存在している。各第１集電電極６ｂは、第１板面２ｕに沿った長手方向を有する。この長手方向は＋Ｙ方向である。換言すれば、複数本の第１集電電極６ｂは、いわゆるフィンガー状の形態を有する。各第１集電電極６ｂの短手方向の幅は、第１出力取出電極６ａの短手方向の幅よりも小さい。第１集電電極６ｂの本数は、第１出力取出電極６ａの本数よりも多い。
【００５２】
上記構成を有する前面電極６は、例えば、第１金属ペーストをスクリーン印刷などによって所望の形状に塗布した後に、この第１金属ペーストを焼成することで形成され得る。第１金属ペーストは、例えば、銀を主成分とする金属粒子、有機ビヒクルおよびガラスフリットを含有する。主成分とは、含有成分のうち含有される比率（含有率ともいう）が最も大きい（高い）成分のことを意味する。ここでは、例えば、反射防止膜３上に第１金属ペーストが所望の形状で塗布される。そして、この第１金属ペーストが焼成される際に、この第１金属ペーストが、反射防止膜３の焼成貫通を生じる。これにより、半導体基板２の第１板面２ｕに接続している状態にある前面電極６が形成され得る。
【００５３】
また、例えば、第１集電電極６ｂと同様の形状の補助電極６ｃが、第１板面２ｕのうちの側面２ｓの＋Ｙ方向および−Ｙ方向をそれぞれ向いた領域に沿った縁部に沿って位置していることで、第１集電電極６ｂ同士を電気的に接続していてもよい。
【００５４】
図４（ｂ）および図５（ａ）から図５（ｃ）で示されるように、裏面電極７は、例えば、半導体基板２の第２板面２ｂ側に位置している。裏面電極７は、例えば、第２出力取出電極７ａと、第２集電電極７ｂと、を有する。
【００５５】
第２出力取出電極７ａは、半導体基板２の第２板面２ｂ側に位置している。この第２出力取出電極７ａは、例えば、太陽電池素子Ｃ１における光電変換で得られたキャリアを太陽電池素子Ｃ１の外部に取り出すための電極である。図４（ｂ）、図５（ａ）および図５（ｃ）の例では、半導体基板２の第２板面２ｂ側の保護層５上に、２本の破線状の第２出力取出電極７ａが存在する。各第２出力取出電極７ａは、第２板面２ｂに沿った長手方向を有する。この長手方向は＋Ｚ方向である。そして、各第２出力取出電極７ａは、長手方向としての＋Ｚ方向に沿って並んだＮ個（Ｎは２以上の整数）の島状の電極部（島状電極部ともいう）で構成されている。ここでは、Ｎ個は４個である。換言すれば、半導体基板２の第２板面２ｂ側には、それぞれ第２出力取出電極７ａの長手方向（ここでは＋Ｚ方向）に沿って並んだ２列の島状電極部が存在する。そして、第２出力取出電極７ａは、長手方向に交差している幅方向を有する。この幅方向は＋Ｙ方向である。第２出力取出電極７ａの少なくとも一部は、第２集電電極７ｂと交差して電気的に接続されている状態にある。上記構成を有する第２出力取出電極７ａは、例えば、第２金属ペーストをスクリーン印刷などで所望の形状に塗布した後に、この第２金属ペーストを焼成することで形成され得る。第２金属ペーストは、例えば、銀を主成分とする金属粒子、有機ビヒクルおよびガラスフリットを含有する。ここでは、例えば、保護層５上に第２金属ペーストが所望の形状で塗布される。
【００５６】
第２集電電極７ｂは、半導体基板２の第２板面２ｂ側に位置している。この第２集電電極７ｂは、例えば、半導体基板２における光の照射に応じた光電変換で得られたキャリアを集めることができる。図４（ｂ）および図５（ａ）の例では、半導体基板２の第２板面２ｂ側に、複数本の第２集電電極７ｂが存在している。各第２集電電極７ｂは、第２板面２ｂに沿った長手方向を有する。この長手方向は＋Ｙ方向である。換言すれば、複数本の第２集電電極７ｂも、上述した複数の第１集電電極６ｂと同様に、いわゆるフィンガー状の形態を有する。各第２集電電極７ｂの短手方向の幅は、第２出力取出電極７ａの短手方向の幅よりも小さい。第２集電電極７ｂの本数は、第２出力取出電極７ａの本数よりも多い。また、第２集電電極７ｂは、例えば、第１部分７ｂ１と、第２部分７ｂ２と、を有する。第１部分７ｂ１は、保護層５の第１領域Ａｒ１の上に位置している。第２部分７ｂ２は、パッシベーション膜４および保護層５を連続して貫通している状態の複数の貫通孔４５ｈ内のそれぞれにおいて半導体基板２に電気的に接続している状態で位置している。第１部分７ｂ１と、第２部分７ｂ２と、は電気的に接続されている状態にある。
【００５７】
上記構成を有する第２集電電極７ｂは、例えば、第３金属ペーストをスクリーン印刷などによって所望の形状に塗布した後に、この第３金属ペーストを焼成することで形成され得る。第３金属ペーストは、例えば、アルミニウムを主成分とする金属粒子、有機ビヒクルおよびガラスフリットを含有する。ここでは、例えば、保護層５上および保護層５の複数の孔部内に第３金属ペーストが塗布される。そして、この第３金属ペーストが焼成される際に、例えば、保護層５の複数の孔部内に位置している第３金属ペーストがパッシベーション膜４の焼成貫通を生じる。これにより、複数の貫通孔４５ｈ内に位置している状態にある第２部分７ｂ２が形成され得る。このとき、例えば、第３金属ペースト中のアルミニウムが半導体基板２の第２板面２ｂの表層部内に拡散し、ＢＳＦ層としての第３半導体領域２３が形成され得る。一方、保護層５上に位置している第３金属ペーストは、保護層５の存在により、パッシベーション膜４の焼成貫通を生じることなく、保護層５上に第１部分７ｂ１が形成され得る。その結果、裏面電極７が形成され得る。
【００５８】
＜１−４．太陽電池素子同士の接続＞
図４（ａ）および図４（ｂ）で示されるように、例えば、１つの太陽電池素子Ｃ１の第１出力取出電極６ａと、この１つの太陽電池素子Ｃ１の隣の他の１つの太陽電池素子Ｃ１の第２出力取出電極７ａとが、第１配線材Ｗ１によって電気的に接続されている状態にある。図４（ａ）および図４（ｂ）の例では、各太陽電池素子Ｃ１に取り付けられる第１配線材Ｗ１の外縁が仮想的に２点鎖線で描かれている。第１配線材Ｗ１には、例えば、線状あるいは帯状の導電性を有する金属が適用される。例えば、０．１ｍｍから０．２ｍｍ程度の厚さと１ｍｍから２ｍｍ程度の幅とを有する銅箔の全面に半田が被覆されたものが第１配線材Ｗ１に適用される。第１配線材Ｗ１は、例えば、半田付けで第１出力取出電極６ａおよび第２出力取出電極７ａに電気的に接続されている状態で位置している。
【００５９】
＜１−５．給気部および排気部＞
給気部１４は、例えば、室外空間Ｓｏ１および室内空間Ｓｉ１のうちの少なくとも一方の空間から第１空間Ｓｐ１へ空気を供給する動作（給気ともいう）を行うことができる。図２の例では、給気部１４は、例えば、床部Ｆｒ１に近接している状態で位置している。換言すれば、給気部１４は、例えば、太陽電池装置１０のうちの床部Ｆｒ１側に位置している。
【００６０】
図６（ａ）で示されるように、給気部１４は、例えば、給気制御部１４１と、第１送風部１４２と、第１経路切換部１４３と、を有する。給気制御部１４１、第１送風部１４２および第１経路切換部１４３を動作させるための電力は、例えば、建造物１の電源、太陽電池アレイ１３および電池のうちの何れから供給されてもよい。電池には、例えば、太陽電池アレイ１３での発電で得られた電気を蓄電している蓄電池が適用され得る。
【００６１】
給気制御部１４１は、例えば、第１送風部１４２および第１経路切換部１４３の動作を制御することができる機能を有する。給気制御部１４１の機能は、例えば、中央処理装置（ＣＰＵ）などのプロセッサが、読み出し専用メモリ（ＲＯＭ）などの記憶部に記憶されたプログラムを実行することで実現され得る。ここで、例えば、給気制御部１４１の機能の一部あるいは全部が専用の電子回路などのハードウェアによって実現されてもよい。
【００６２】
第１送風部１４２は、例えば、給気部１４において空気の流れを発生させることができる。第１送風部１４２には、例えば、モータの駆動力によって羽根車を回転させることで空気の流れを発生させることが可能な送風機が適用される。
【００６３】
第１経路切換部１４３は、例えば、給気部１４において空気が流れる経路を切り替えることができる。第１経路切換部１４３には、例えば、給気部１４内の空気を流すための経路上に設けられた１つ以上のシャッターの開閉などによって給気部１４において空気が流れる経路を切り替えることができる。
【００６４】
給気部１４は、例えば、図７（ａ）で示されるように、第１吸気口Ｏｂ１で室外空間Ｓｏ１から空気を吸い込んで、給気口Ｏｂ３から第１空間Ｓｐ１に空気を供給することができる。また、給気部１４は、例えば、図７（ｂ）で示されるように、第２吸気口Ｏｂ２で室内空間Ｓｉ１の第２空間Ｓｐ２から空気を吸い込んで、給気口Ｏｂ３から第１空間Ｓｐ１に空気を供給することができる。ここで、第１吸気口Ｏｂ１、第２吸気口Ｏｂ２および給気口Ｏｂ３のそれぞれには、例えば、Ｙ方向に沿って細長いスリット状の開口が適用され得る。
【００６５】
ここでは、給気制御部１４１は、例えば、季節、時刻、温度および日射量の大小などの状況に応じた情報に基づいて、第１送風部１４２の動作状態および第１経路切換部１４３による空気が流れる経路の切り替えなどを制御することができる。給気制御部１４１では、季節は、例えば、カレンダーの機能などで認識可能であり、時刻は、例えば、時計の機能などで認識可能であり、温度は、例えば、温度センサなどで検出可能であり、日射量の大小は、例えば、照度計または太陽電池モジュール１３ｍにおける発電量などに応じて検出可能である。また、給気制御部１４１は、例えば、リモコンの操作および音声の入力などのユーザの動作に応じて、第１送風部１４２の動作状態および第１経路切換部１４３による空気が流れる経路の切り替えなどを制御してもよい。
【００６６】
排気部１５は、例えば、第１空間Ｓｐ１から室外空間Ｓｏ１へ空気を排出する動作（排気ともいう）を行うことができる。これにより、例えば、排気部１５によって第１空間Ｓｐ１に雰囲気の流れが生じるとともに、光の照射および太陽電池モジュール１３ｍの発熱などで暖まった空気を室外空間Ｓｏ１に排出することができる。このため、太陽電池モジュール１３ｍの冷却が促進され得る。また、ここでは、例えば、第２仕切り部１２と太陽電池モジュール１３ｍとの第２間隔Ｄ２が、第１仕切り部１１と太陽電池モジュール１３ｍとの第１間隔Ｄ１よりも大きく、第２仕切り部１２と太陽電池モジュール１３ｍとの間の間隙Ａ２を流れる気体の流速が高まり得る。これにより、例えば、太陽電池モジュール１３ｍが冷却されやすくなる。その結果、太陽電池モジュール１３ｍの光電変換効率が向上し得る。ここで、例えば、排気部１５によって第１空間Ｓｐ１から室外空間Ｓｏ１に排気を行えば、夏期に採光を行う窓部としての太陽電池装置１０による室外空間Ｓｏ１と室内空間Ｓｉ１との間における断熱効果が向上し得る。また、ここで、例えば、排気部１５は、第１空間Ｓｐ１から第２空間Ｓｐ２へ空気を排出する動作（排気）を行うことができてもよい。この場合には、例えば、排気部１５によって第１空間Ｓｐ１から第２空間Ｓｐ２に排気を行えば、冬期などにおいて、太陽電池モジュール１３ｍが発電時に生じる熱などを利用して、室内空間Ｓｉ１の第２空間Ｓｐ２を暖めることができる。これにより、例えば、室内空間Ｓｉ１における空調効率が高まり得る。その結果、例えば、建造物１における省エネルギーを図ることができる。
【００６７】
また、例えば、第１空間Ｓｐ１のうち、Ｙ方向において隣り合うように並んでいる状態で位置している太陽電池モジュール１３ｍの間の第４間隙Ａ４を通る仮想的なＸＺ平面上には、太陽電池モジュール１３ｍが存在しないため、この領域を流れる気体の流速が高まり得る。これにより、例えば、太陽電池モジュール１３ｍが効果的に冷却されやすくなる。その結果、太陽電池モジュール１３ｍの光電変換効率が向上し得る。また、第４間隔Ｄ４と第３間隔Ｄ３との大小関係は、特に制約はなく、例えば外観上の視覚効果などを考慮して適宜に設定され得る。なお、例えば、第４間隔Ｄ４を第３間隔Ｄ３よりも大きくすれば、後述するように太陽電池モジュール１３ｍを上下移動させる際に、左右方向で隣り合う太陽電池モジュール１３ｍ同士の接触が生じにくくなり、太陽電池モジュール１３ｍの端部における欠けまたは割れなどの不良が生じにくくなるとともに、太陽電池モジュール１３ｍが効果的に冷却され得る。
【００６８】
第１実施形態では、図２で示されるように、排気部１５は、例えば、天井部Ｓｅ１に近接している状態で位置している。換言すれば、排気部１５は、例えば、太陽電池装置１０のうちの天井部Ｓｅ１側に位置している。図６（ｂ）で示されるように、排気部１５は、例えば、排気制御部１５１と、第２送風部１５２と、第２経路切換部１５３と、を有する。排気制御部１５１、第２送風部１５２および第２経路切換部１５３を動作させるための電力は、例えば、建造物１の電源、太陽電池アレイ１３および電池のうちの何れから供給されてもよい。電池には、例えば、太陽電池アレイ１３での発電で得られた電気を蓄電している蓄電池が適用され得る。
【００６９】
排気制御部１５１は、例えば、第２送風部１５２および第２経路切換部１５３の動作を制御することができる機能を有する。排気制御部１５１の機能は、例えば、中央処理装置（ＣＰＵ）などのプロセッサが、読み出し専用メモリ（ＲＯＭ）などの記憶部に記憶されたプログラムを実行することで実現され得る。ここで、例えば、排気制御部１５１の機能の一部あるいは全部が専用の電子回路などのハードウェアによって実現されてもよい。
【００７０】
第２送風部１５２は、例えば、排気部１５において空気の流れを発生させることができる。第２送風部１５２には、例えば、モータの駆動力によって羽根車を回転させることで空気の流れを発生させることが可能な送風機が適用される。
【００７１】
第２経路切換部１５３は、例えば、排気部１５において空気が流れる経路を切り替えることができる。第２経路切換部１５３には、例えば、排気部１５内の空気を流すための経路上に設けられた１つ以上のシャッターの開閉によって排気部１５において空気が流れる経路を切り替えることができる。
【００７２】
排気部１５は、例えば、図７（ａ）で示されるように、例えば、第３吸気口Ｏｕ３で第１空間Ｓｐ１から空気を吸い込んで、第１排気口Ｏｕ１から室外空間Ｓｏ１に空気を排出することができる。また、排気部１５は、例えば、図７（ｂ）で示されるように、第３吸気口Ｏｕ３で第１空間Ｓｐ１から空気を吸い込んで、第２排気口Ｏｕ２から第２空間Ｓｐ２に空気を供給することができてもよい。ここで、第３吸気口Ｏｕ３、第１排気口Ｏｕ１および第２排気口Ｏｕ２のそれぞれには、例えば、Ｙ方向に沿って細長いスリット状の開口が適用され得る。
【００７３】
ここでは、排気制御部１５１は、例えば、季節、時刻、温度および日射量の大小などの状況に応じた情報に基づいて、第２送風部１５２の動作状態および第２経路切換部１５３による空気が流れる経路の切り替えなどを制御することができる。排気制御部１５１では、季節は、例えば、カレンダーの機能などで認識可能であり、時刻は、例えば、時計の機能などで認識可能であり、温度は、例えば、温度センサなどで検出可能であり、日射量の大小は、例えば、照度計または太陽電池モジュール１３ｍにおける発電量などに応じて検出可能である。また、排気制御部１５１は、例えば、リモコンの操作および音声の入力などのユーザの動作に応じて、第２送風部１５２の動作状態および第２経路切換部１５３による空気が流れる経路の切り替えなどを制御してもよい。
【００７４】
ここでは、例えば、図７（ａ）で示されるように、室外空間Ｓｏ１から第１空間Ｓｐ１を介した室外空間Ｓｏ１への空気の流れを発生させれば、室外空間Ｓｏ１からの直射日光による熱および太陽電池モジュール１３ｍで生じる熱が、室内空間Ｓｉ１の第２空間Ｓｐ２へ流入しにくくなる。これにより、例えば、夏期などにおいて室内空間Ｓｉ１の第２空間Ｓｐ２における室温の上昇を低減することができる。さらに、例えば、第１吸気口Ｏｂ１の代わりに第２吸気口Ｏｂ２を用いて、室内空間Ｓｉ１の第２空間Ｓｐ２から空気を吸い込んで、給気口Ｏｂ３から第１空間Ｓｐ１に空気を供給することで、第２空間Ｓｐ２において冷房などで冷やされた空気によって、太陽電池モジュール１３ｍを効果的に冷却されやすくしてもよい。その結果、例えば、太陽電池モジュール１３ｍの光電変換効率が向上し得る。また、例えば、図７（ｂ）で示されるように、第２空間Ｓｐ２から第１空間Ｓｐ１を介した第２空間Ｓｐ２への空気の流れを発生させれば、室外空間Ｓｏ１からの直射日光による熱および太陽電池モジュール１３ｍで生じる熱を、室内空間Ｓｉ１の第２空間Ｓｐ２に取り込みやすくなる。これにより、例えば、冬期などにおいて室内空間Ｓｉ１の第２空間Ｓｐ２における室温の低下を低減することができ、室内空間Ｓｉ１の第２空間Ｓｐ２に対する暖房負荷を低減することができる。
【００７５】
ここで、例えば、給気制御部１４１の機能および排気制御部１５１の機能は、２つ以上の別々のプロセッサで実現されてもよいし、１つのプロセッサで実現されてもよい。
【００７６】
＜１−６．太陽電池モジュールの上下移動＞
移動部１６は、例えば、第１空間Ｓｐ１内において複数の太陽電池モジュール１３ｍを第１裏面（第３面ともいう）１１ｂに沿って、上下方向に移動させることができる。
【００７７】
第１実施形態では、図６（ｃ）で示されるように、移動部１６は、例えば、移動制御部１６１と、移動機構部１６２と、を有する。移動制御部１６１および移動機構部１６２を動作させるための電力は、例えば、建造物１の電源、太陽電池アレイ１３および電池のうちの何れから供給されてもよい。電池には、例えば、太陽電池アレイ１３での発電で得られた電気を蓄電している蓄電池が適用され得る。移動制御部１６１は、例えば、移動機構部１６２の動作を制御することができる機能を有する。移動制御部１６１の機能は、例えば、ＣＰＵなどのプロセッサが、ＲＯＭなどの記憶部に記憶されたプログラムを実行することで実現され得る。移動制御部１６１の機能の一部あるいは全部が専用の電子回路などのハードウェアによって実現されてもよい。移動機構部１６２は、例えば、太陽電池モジュール１３ｍを、第１透明部材１１１のうちの第３面としての第１裏面１１ｂに沿って上下に移動させることができる。移動機構部１６２は、例えば、吊り下げ部材Ｐｕ１を介して太陽電池モジュール１３ｍを昇降させることができる。第１実施形態では、移動機構部１６２は、例えば、第１吊り下げ部材Ｐｕ１１の巻き上げおよび巻き下げが可能な第１リール部１６ａ、ならびに第２吊り下げ部材Ｐｕ１２の巻き上げおよび巻き下げが可能な第２リール部１６ｂを有する。第１リール部１６ａは、例えば、モータによって＋Ｙ方向に沿った回転軸を中心として回転することで、第１吊り下げ部材Ｐｕ１１の巻き上げおよび巻き下げを行うことができる。第２リール部１６ｂは、例えば、モータによって＋Ｙ方向に沿った回転軸を中心として回転することで、第２吊り下げ部材Ｐｕ１２の巻き上げおよび巻き下げを行うことができる。
【００７８】
ここでは、移動制御部１６１は、例えば、季節、時刻、温度および日射量の大小などの状況に応じた情報に基づいて、移動機構部１６２による太陽電池モジュール１３ｍの昇降動作を制御することができる。移動制御部１６１では、季節は、例えば、カレンダーの機能などで認識可能であり、時刻は、例えば、時計の機能などで認識可能であり、温度は、例えば、温度センサなどで検出可能であり、日射量の大小は、例えば、照度計または太陽電池モジュール１３ｍにおける発電量などに応じて検出可能である。また、移動制御部１６１は、例えば、リモコンの操作および音声の入力などのユーザの動作に応じて、移動機構部１６２の動作などを制御してもよい。
【００７９】
ここでは、例えば、図８（ａ）および図９（ａ）で示されるように太陽電池モジュール１３ｍが第１空間Ｓｐ１の下部に位置している状態から、図８（ｂ）および図９（ｂ）で示されるように太陽電池モジュール１３ｍを第１空間Ｓｐ１の上部に移動させることができる。また、例えば、図８（ｂ）および図９（ｂ）で示されるように太陽電池モジュール１３ｍが第１空間Ｓｐ１の上部に位置している状態から、図８（ａ）および図９（ａ）で示されるように太陽電池モジュール１３ｍを第１空間Ｓｐ１の下部に移動させることができる。
【００８０】
上記構成が採用されれば、例えば、夏期では、図８（ａ）から図８（ｂ）で示されるように、太陽電池モジュール１３ｍを第１空間Ｓｐ１の上部へ移動させて、室外空間Ｓｏ１から室内空間Ｓｉ１の奥側に向かう外光を太陽電池モジュール１３ｍで遮ることができる。このとき、例えば、室内空間Ｓｉ１の奥側に日光が入射しにくく、室内空間Ｓｉ１の第２空間Ｓｐ２における温度の上昇が低減され得る。また、例えば、室内空間Ｓｉ１に居る人の頭部を含む上半身に照射される直射日光の光量を低減することができる。また、例えば、太陽電池モジュール１３ｍを第１空間Ｓｐ１の上部へ移動させることで、第１空間Ｓｐ１の下部において、太陽電池モジュール１３ｍの発電による発熱に起因した温度上昇が低減され得る。これにより、例えば、太陽電池モジュール１３ｍが発する熱が第２空間Ｓｐ２へ流入しにくくなる。その一方で、例えば、冬期では、例えば、太陽電池モジュール１３ｍを第１空間Ｓｐ１の下部へ移動させれば、第１空間Ｓｐ１の下部における温度が上昇しやすくなる。これにより、例えば、太陽電池モジュール１３ｍが発する熱が第２空間Ｓｐ２へ流入しやすくなる。また、例えば、太陽電池モジュール１３ｍを第１空間Ｓｐ１の下部へ移動させれば、室外空間Ｓｏ１から第１空間Ｓｐ１の上部を介して室内空間Ｓｉ１の奥側に外光を入射させることができる。その結果、室内空間Ｓｉ１の奥側における温度の低下が低減され得る。
【００８１】
＜１−７．太陽光発電による電力の利用＞
図６（ｄ）で示されるように、複数の太陽電池モジュール１３ｍで光電変換に応じて得られる直流の電力は、例えば、１つまたは２つ以上の太陽電池モジュール１３ｍごとに、マイクロインバータ１３ｉで交流の電力に変換され得る。この場合には、ここで得られた交流の電力は、例えば、分電盤１７を介して、建造物１における電力などとして使用され得る。ここでは、例えば、マイクロインバータ１３ｉが、排気部１５および移動部１６に近接するように位置している態様が考えられる。
【００８２】
また、例えば、図６（ｅ）で示されるように、太陽電池アレイ１３に含まれる複数のグループの太陽電池モジュール１３ｍから出力される直流の電力が、接続箱１３ｃで統合されて、パワーコンディショナー１８で交流の電力に変換されてもよい。この場合には、ここで得られた交流の電力は、例えば、分電盤１７を介して建造物１における電力などとして使用され得る。
【００８３】
また、例えば、図６（ｆ）で示されるように、太陽電池アレイ１３から出力される直流の電力が、蓄電池１３ｂに蓄積されてもよい。この場合には、蓄電池１３ｂに蓄積された電力は、例えば、給気部１４、排気部１５および移動部１６に供給され得る。ここでは、例えば、蓄電池１３ｂが、排気部１５および移動部１６に近接するように位置していてもよいし、太陽電池装置１０の近傍に位置していてもよい。また、蓄電池１３ｂは系統電源の電力を蓄積しても構わない。
【００８４】
＜１−８．第１実施形態のまとめ＞
第１実施形態に係る太陽電池装置１０では、例えば、第２仕切り部１２と太陽電池モジュール１３ｍとの第２間隔Ｄ２が、第１透明部材１１１と太陽電池モジュール１３ｍとの第１間隔Ｄ１よりも大きい。このため、例えば、太陽電池モジュール１３ｍが室外空間Ｓｏ１からの外光に応じて発電する際に太陽電池モジュール１３ｍが発する熱が室内空間Ｓｉ１の第２空間Ｓｐ２へ流入しにくくなる。これにより、例えば、太陽電池装置１０による室外空間Ｓｏ１と室内空間Ｓｉ１の第２空間Ｓｐ２との間における断熱効果が高まり得る。また、ここで、例えば、第１透明部材１１１を含む第１仕切り部１１と太陽電池モジュール１３ｍとが離れている。これにより、太陽電池モジュール１３ｍにおいて第１空間Ｓｐ１内の雰囲気と接する表面の面積が増加し得る。このため、例えば、太陽電池モジュール１３ｍが冷却されやすい。さらに、ここで、例えば、上下方向で隣り合って位置する太陽電池モジュール１３ｍの間の第３間隔Ｄ３が、第１間隔Ｄ１よりも大きく且つ第２間隔Ｄ２よりも小さい。このため、例えば、太陽電池モジュール１３ｍと第１仕切り部１１との間の第１間隙Ａ１に存在する空気が、上下方向で隣り合う太陽電池モジュール１３ｍの間の第３間隙Ａ３を通って、太陽電池モジュール１３ｍと第２仕切り部１２との間の第２間隙Ａ２に抜けやすく、太陽電池モジュール１３ｍの端面Ｅｓ１に第３間隙Ａ３を流れる空気が接しやすい。このため、太陽電池モジュール１３ｍが効果的に冷却されやすい。その結果、例えば、太陽電池モジュール１３ｍの光電変換効率が向上し得る。したがって、例えば、室内空間Ｓｉ１における空調効率を高めることができる。
【００８５】
＜２．他の実施形態＞
本開示は上述の第１実施形態に限定されるものではなく、本開示の要旨を逸脱しない範囲において種々の変更、改良などが可能である。
【００８６】
＜２−１．第２実施形態＞
上記第１実施形態において、例えば、太陽電池モジュール１３ｍの第１面Ｓｆ１および第２面Ｓｆ２のうちの少なくとも一方の面が、凹凸を有していてもよい。この場合には、例えば、太陽電池モジュール１３ｍの表面積が増大し、太陽電池モジュール１３ｍが冷却されやすくなる。これにより、例えば、太陽電池モジュール１３ｍの光電変換効率が向上し得る。また、例えば、太陽電池モジュール１３ｍの第１面Ｓｆ１および第２面Ｓｆ２のうちの発電に寄与する光を受光する面（受光面ともいう）における光の反射量が低減され得る。これにより、太陽電池モジュール１３ｍの太陽電池部Ｓｌ１に入射する光の量が増加し得る。その結果、例えば、太陽電池モジュール１３ｍの光電変換効率が向上し得る。したがって、例えば、室内空間Ｓｉ１における空調効率を高めることができる。
【００８７】
ここで、第１面Ｓｆ１および第２面Ｓｆ２の凹凸における凸部および凹部の形状としては、例えば、ピラミッド状、円錐状または略球面状などの種々の形状が採用され得る。凹凸における凸部の高さは、例えば、１μｍから１００μｍ程度に設定されてもよいし、１０μｍから５０μｍ程度に設定されてもよい。上記の「凸部の高さ」は、例えば、凹部の底面を通る直線を基準線とした場合に、この基準線に対して垂直な方向（ここでは±Ｘ方向）における、この基準線から凸部の頂点までの距離を意味する。また、凹凸における隣り合う凸部の頂点の間の距離は、例えば、１μｍから５０μｍ程度に設定され得る。
【００８８】
ここで、例えば、太陽電池モジュール１３ｍにおける第１面Ｓｆ１を構成する第１保護部材Ｐｒ１および第２面Ｓｆ２を構成する第２保護部材Ｐｒ２のそれぞれの素材が、ガラスである場合を想定する。この場合には、例えば、反応性イオンエッチング（ＲＩＥ）法などのドライエッチングまたはウエットブラスト法などの処理によって、第１面Ｓｆ１および第２面Ｓｆ２に凹凸を形成することができる。ウエットブラスト法の処理は、例えば、数μｍから数十μｍの粒径を有するシリカまたはアルミナの粉末を研磨剤として混合させた水（研磨剤混合液ともいう）を、対象物としてのガラス基板の表面に吹き付けることで実現され得る。ここでは、例えば、エッチングの度合いあるいは研磨剤の粒径および研磨剤混合液の吹き付け量などを適宜制御すれば、凹凸における凸部の高さおよび隣り合う凸部の頂点の間の距離を調整することができる。
【００８９】
また、ここで、例えば、太陽電池モジュール１３ｍにおける第１面Ｓｆ１を構成する第１保護部材Ｐｒ１および第２面Ｓｆ２を構成する第２保護部材Ｐｒ２のそれぞれの素材が、アクリルまたはポリカーボネートなどの樹脂である場合を想定する。この場合には、例えば、ホットエンボス（ナノインプリント）法などの処理によって、第１面Ｓｆ１および第２面Ｓｆ２に凹凸を形成することができる。ホットエンボス（ナノインプリント）法の処理は、例えば、微細パターンを有するマスター金型を加熱しながら樹脂製のシートに押し付けることで樹脂製のシートの表面に微細パターンを転写することで実現され得る。ここでは、例えば、マスター金型の微細パターンの形状を適宜調整すれば、凹凸における凸部の高さおよび隣り合う凸部の頂点の間の距離を調整することができる。
【００９０】
ここで、例えば、太陽電池モジュール１３ｍの第１面Ｓｆ１および第２面Ｓｆ２の両方の面が凹凸を有していれば、太陽電池モジュール１３ｍの冷却が促進され得る。
【００９１】
また、ここで、上述したように、第１間隔Ｄ１よりも第２間隔Ｄ２が大きく、第１仕切り部１１と太陽電池モジュール１３ｍとの間を流れる気体よりも、第２仕切り部１２と太陽電池モジュール１３ｍとの間を流れる気体の方が、流速が大きくなりやすい。このため、例えば、第１面Ｓｆ１の表面積よりも第２面Ｓｆ２の表面積が大きければ、太陽電池モジュール１３ｍが冷却されやすくなる。例えば、第１面Ｓｆ１の凹凸の高さを２０μｍ未満とし、第２面Ｓｆ２の凹凸の高さを２０μｍから５０μｍとすれば、第１面Ｓｆ１よりも第２面Ｓｆ２の方が、表面積が大きくなり得る。ここで、例えば、夏期には、排気部１５によって第１空間Ｓｐ１から室外空間Ｓｏ１へ空気を排出すれば、太陽電池モジュール１３ｍの冷却と、窓部としての太陽電池装置１０による室外空間Ｓｏ１と室内空間Ｓｉ１の第２空間Ｓｐ２との間における断熱と、が効果的に行われ得る。ここでは、例えば、第１面Ｓｆ１は、実質的に凹凸を有さない平滑な面とされてもよい。
【００９２】
＜２−２．第３実施形態＞
上記各実施形態において、第２透明部材１２１として、例えば、低放射ガラス（Ｌｏｗ−Ｅガラスともいう）の部材が採用されてもよい。ここで、低放射ガラスは、赤外線を効率良く反射させる薄膜をガラスの表面に形成したものである。具体的には、低放射ガラスとして、例えば、１０００ｎｍから２０００ｎｍの波長の範囲における光に対する反射率が、平均で２０％以上であり、２０００ｎｍ以上の波長の範囲における光に対する反射率が、平均で６０％以上である性質を有するものが採用され得る。赤外線を効率良く反射させる薄膜の素材には、例えば、酸化スズまたは銀などの素材が適用され得る。このような薄膜は、例えば、スパッタリング法などによって、ガラス板上に形成され得る。このとき、この薄膜の厚さは、例えば、１０ｎｍから４００ｎｍ程度に調整され得る。
【００９３】
上記構成が採用されれば、例えば、太陽電池装置１０において、第２仕切り部１２による断熱性が高まるため、第１空間Ｓｐ１から第２空間Ｓｐ２に向けた熱の流入量が低減され得る。
【００９４】
また、例えば、第２透明部材１２１が赤外線などの長波長の光を反射しやすくなるため、太陽電池モジュール１３ｍの第２面Ｓｆ２における受光量が上昇し、太陽電池モジュール１３ｍにおける発電量が増加し得る。ここでは、例えば、上述したように、第２間隔Ｄ２が第１間隔Ｄ１よりも大きいため、第２透明部材１２１で反射される光が散乱光となって太陽電池モジュール１３ｍの第２面Ｓｆ２の広い領域で受光されやすくなる。これにより、例えば、太陽電池モジュール１３ｍの発電量が増大し得る。ここでは、例えば、複数の太陽電池モジュール１３ｍが並んでいても、より多くの太陽電池モジュール１３ｍの第２面Ｓｆ２で、第２透明部材１２１で反射された光が受光されやすくなり、太陽電池モジュール１３ｍによる発電量を向上させることができる。この場合には、例えば、Ｙ方向またはＺ方向に並んでいる複数の太陽電池モジュール１３ｍのうちの隣り合う太陽電池モジュール１３ｍの間に、間隙が存在していれば、より多くの太陽電池モジュール１３ｍの第２面Ｓｆ２で、第２透明部材１２１で反射された光が受光されやすくなる。また、ここでは、上述したように、例えば、第２間隔Ｄ２を第１間隔Ｄ１で除した値（＝Ｄ２／Ｄ１）を５から２０とすれば、第２透明部材１２１で反射される光が散乱光となって太陽電池モジュール１３ｍの第２面Ｓｆ２のより広い領域で受光されやすくなる。これにより、太陽電池モジュール１３ｍにおける発電量が増大し得る。また、例えば、仮に、太陽電池モジュール１３ｍの第１面Ｓｆ１に影が生じても、太陽電池モジュール１３ｍにおける発電量の低下が低減され得る。このとき、例えば、太陽電池モジュール１３ｍは、発電量の増大に応じて発熱しやすくなるものの、第２間隔Ｄ２を第１間隔Ｄ１で除した値（＝Ｄ２／Ｄ１）を２０以下として、第１間隔Ｄ１をある程度確保すれば、太陽電池モジュール１３ｍの冷却が適切に行われ得る。その結果、例えば、太陽電池モジュール１３ｍにおける発電量の増大が維持され得る。
【００９５】
また、ここで、第２透明部材１２１である低放射ガラスの部材として、例えば、複数のガラス板の間に中間層または真空層を有する複層ガラスが適用されてもよい。この場合には、例えば、中間層または真空層の存在によって、第２透明部材１２１における断熱性が高まり得る。また、ここで、例えば、第２空間Ｓｐ２側のガラス板における中間層側に、赤外線を効率良く反射させる薄膜が位置していれば、第２透明部材１２１における放射伝熱（輻射伝熱ともいう）による熱の移動量が低減される。このため、第２透明部材１２１における断熱性が高まり得る。
【００９６】
＜２−３．第４実施形態＞
上記各実施形態において、複数の太陽電池モジュール１３ｍのそれぞれは、例えば、第１透明部材１１１および第２透明部材１２１に対して傾斜することで、第１面Ｓｆ１が斜め上方を向いており且つ第２面Ｓｆ２が斜め下方を向いた状態で位置することが可能であってもよい。別の観点から言えば、例えば、太陽電池モジュール１３ｍの第１面Ｓｆ１が、第１透明部材１１１の第１裏面１１ｂに対して傾斜することが可能であってもよい。ここでは、例えば、図１０で示されるように、移動制御部１６１の制御に応じて、移動機構部１６２が、第１リール部１６ａによる第１吊り下げ部材Ｐｕ１１の巻き上げ量を、第２リール部１６ｂによる第２吊り下げ部材Ｐｕ１２の巻き上げ量よりも大きくすることが考えられる。これにより、例えば、第１透明部材１１１および第２透明部材１２１に対して太陽電池モジュール１３ｍを傾斜させることが可能である。この場合には、例えば、移動機構部１６２が、太陽電池モジュール１３ｍを第１透明部材１１１および第２透明部材１２１に対して傾斜させることができる機構（傾斜機構ともいう）としての役割を果たす。このような構成が採用されれば、例えば、第１面Ｓｆ１に対する太陽光の入射量が増加し得る。このため、例えば、太陽電池モジュール１３ｍにおける発電量が増加し得る。また、ここでは、例えば、太陽電池モジュール１３ｍの第１面Ｓｆ１が、第１透明部材１１１の第１裏面１１ｂに対して傾斜し、太陽電池モジュール１３ｍの第２面Ｓｆ２が、第２透明部材１２１の第２前面１２ｆに対して傾斜している状態にある。このため、例えば、第１空間Ｓｐ１における空気の流れにおいて乱流が生じやすくなる。これにより、太陽電池モジュール１３ｍが冷却されやすくなる。その結果、例えば、太陽電池モジュール１３ｍの光電変換効率が向上し得る。したがって、例えば、室内空間Ｓｉ１における空調効率を高めることができる。
【００９７】
ここで、移動制御部１６１が、例えば、季節、時刻および日射量の大小などの状況に応じた情報に基づいて、移動機構部１６２によって太陽電池モジュール１３ｍが傾斜している角度（傾斜角度ともいう）の変更を制御することができてもよい。移動制御部１６１では、季節は、例えば、カレンダーの機能などで認識可能であり、時刻は、例えば、時計の機能などで認識可能であり、日射量は、例えば、照度計または太陽電池モジュール１３ｍにおける発電量などに応じて検出可能である。ここでは、例えば、移動制御部１６１が、太陽電池モジュール１３ｍにおける傾斜角度と発電量との関係を検出して、発電量がより大きくなるように、太陽電池モジュール１３ｍの傾斜角度を調整してもよい。
【００９８】
ここで、例えば、第１透明部材１１１および第２透明部材１２１に対して太陽電池モジュール１３ｍが傾斜している場合にも、第２間隔Ｄ２が第１間隔Ｄ１よりも大きく、第３間隔Ｄ３が、第１間隔Ｄ１よりも大きく且つ第２間隔Ｄ２よりも小さければ、上記第１実施形態と同様な効果が得られる。
【００９９】
＜２−４．第５実施形態＞
上記各実施形態において、例えば、図１１で示されるように、第２仕切り部１２のうちの一部が、特定範囲の波長の光に対する透光性を有していない壁状の部分（壁状部分ともいう）１２２であってもよい。図１１の例では、第２仕切り部１２のうちの床部Ｆｒ１に近い部分が壁状部分１２２であり、壁状部分１２２の上に第２透明部材１２１が位置している。このような構成が採用されても、上記各実施形態と同様な効果を奏する。
【０１００】
また、ここでは、例えば、図１１および図１２（ａ）で示されるように太陽電池モジュール１３ｍが第１空間Ｓｐ１の下部に位置している際には、室内空間Ｓｉ１の第２空間Ｓｐ２側から見ると、太陽電池モジュール１３ｍが壁状部分１２２の後ろに隠れている状態にある。また、ここで、図１２（ｂ）で示されるように太陽電池モジュール１３ｍを第１空間Ｓｐ１の上部に移動させると、室内空間Ｓｉ１の第２空間Ｓｐ２側から見て、太陽電池モジュール１３ｍが外光を遮る遮光部などとしての役割を果たすことができる。
【０１０１】
＜２−５．第６実施形態＞
上記各実施形態において、例えば、図１３で示されるように、第２仕切り部１２が、スライド式の複数の第２透明部材１２１を有していてもよい。図１３の例では、戸袋１２ｓに格納された複数の第２透明部材１２１のそれぞれを、手動または電動でガイド部に沿って＋Ｙ方向にスライドさせることで、第２仕切り部１２を形成することができる。また、複数の第２透明部材１２１のそれぞれを、手動または電動でガイド部に沿って−Ｙ方向にスライドさせることで、複数の第２透明部材１２１を戸袋１２ｓに格納することができる。ここでは、ガイド部には、例えば、＋Ｙ方向に沿って伸びるように位置している細長いレール状の突起部および溝部の何れが適用されてもよい。ここで、例えば、天井部Ｓｅ１側および床部Ｆｒ１側の両方にガイド部が位置していれば、複数の第２透明部材１２１がＹＺ平面に沿った安定した移動および姿勢の維持を実現することができる。また、例えば、複数の第２透明部材１２１のそれぞれの外周部に枠体が取り付けられていてもよい。
【０１０２】
＜２−６．第７実施形態＞
上記各実施形態において、例えば、図１４で示されるように、複数の第２透明部材１２１のそれぞれが、天井部Ｓｅ１側に位置している保持部１２ｈによって吊り下げられるように保持されていてもよい。保持部１２ｈには、例えば、カーテンレールのような形態を有するものが適用され得る。この場合には、第２透明部材１２１には、例えば、２枚以上のガラスを強靱な樹脂膜で接着することで一体化された薄型のガラス（合わせガラスともいう）が適用され得る。ここでは、第２透明部材１２１は、例えば、図１４で示されるように、床部Ｆｒ１の近くまで位置していなくてもよい。
【０１０３】
＜３．その他の実施形態＞
上記各実施形態において、複数の太陽電池モジュール１３ｍは、例えば、床部Ｆｒ１側から支持されていてもよいし、天井部Ｓｅ１と床部Ｆｒ１との間に架設されるように位置している複数本の柱状の部材の間に保持されていてもよい。ここでは、例えば、複数本の柱状の部材に沿って太陽電池モジュール１３ｍを手動または自動で上下に移動させることが可能であるような他の構成の移動機構が採用されてもよい。また、例えば、複数本の柱状の部材に対して＋Ｙ方向に沿った回転軸を中心として太陽電池モジュール１３ｍを回動させて第１透明部材１１１および第２透明部材１２１に対して太陽電池モジュール１３ｍを傾斜させることが可能であるような他の構成の傾斜機構が採用されてもよい。
【０１０４】
上記各実施形態において、複数の太陽電池モジュール１３ｍのそれぞれには、例えば、第１面Ｓｆ１における受光に応じて発電を行い、第２面Ｓｆ２における受光に応じて発電を行わないタイプ（片面受光型ともいう）の太陽電池モジュールが適用されてもよい。
【０１０５】
上記各実施形態において、給気部１４は、例えば、第１送風部１４２を有していなくてもよい。また、給気部１４は、例えば、給気制御部１４１と、第１送風部１４２と、第１経路切換部１４３と、を有することなく、第１吸気口Ｏｂ１と給気口Ｏｂ３とをつなぐ給気経路を有するものであってもよい。排気部１５は、例えば、第２送風部１５２を有していなくてもよい。また、排気部１５は、例えば、排気制御部１５１と、第２送風部１５２と、第２経路切換部１５３と、を有することなく、第３吸気口Ｏｕ３と第１排気口Ｏｕ１とをつなぐ排気経路を有するものであってもよい。また、例えば、給気部１４および排気部１５が存在していなくてもよい。
【０１０６】
上記第４実施形態において、例えば、第１透明部材１１１および第２透明部材１２１に対する太陽電池モジュール１３ｍの傾斜角度を変更させることができなくてもよい。例えば、第１透明部材１１１および第２透明部材１２１に対して傾斜している状態で維持される形態が採用されてもよい。換言すれば、例えば、初期状態において、複数の太陽電池モジュール１３ｍのそれぞれは、第１面Ｓｆ１が斜め上方を向いており且つ第２面Ｓｆ２が斜め下方を向いた状態で、第１透明部材１１１および第２透明部材１２１に対して傾斜している状態で位置していてもよい。
【０１０７】
上記各実施形態において、移動部１６には、例えば、床部Ｆｒ１側に位置している第１プーリーと、天井部Ｓｅ１側に位置している第２プーリーと、の間に環状に掛け渡されているベルト状の環状体を有する構成などのその他の構成が適用されてもよい。ここでは、例えば、環状体が太陽電池モジュール１３ｍを保持していれば、第１プーリーおよび第２プーリーの回転に応じて、太陽電池モジュール１３ｍを保持している環状体が循環するように移動することで、太陽電池モジュール１３ｍが上下に移動してもよい。
【０１０８】
上記各実施形態において、例えば、移動部１６が存在していなくてもよい。
【０１０９】
上記各実施形態において、例えば、太陽電池装置１０が、２つの太陽電池モジュール１３ｍを有していてもよいし、３つ以上の太陽電池モジュール１３ｍを有していてもよい。
【０１１０】
上記各実施形態において、第１仕切り部１１は、例えば、１つ以上の第１透明部材１１１を有していてもよいし、第２仕切り部１２は、例えば、１つ以上の第２透明部材１２１を有していてもよい。また、例えば、１つの第１透明部材１１１に複数の第２透明部材１２１が対向するように位置していてもよいし、複数の第１透明部材１１１に１つの第２透明部材１２１が対向するように位置していてもよい。
【０１１１】
上記各実施形態において、例えば、各太陽電池モジュール１３ｍにおいて第１間隔Ｄ１または第２間隔Ｄ２が異なっても構わない。このとき、例えば、複数の太陽電池モジュール１３ｍのそれぞれの第２間隔Ｄ２の合計を太陽電池モジュール１３ｍの枚数で割って算出した平均値が、複数の太陽電池モジュール１３ｍのそれぞれの第１間隔Ｄ１の合計を太陽電池モジュール１３ｍの枚数で割って算出した平均値よりも大きければよい。このように、例えば、全ての太陽電池モジュール１３ｍにおいて、第２間隔Ｄ２を第１間隔Ｄ１よりも大きくすることによって、室内空間Ｓｉ１の第２空間Ｓｐ２における空調効率を高めることが可能な太陽電池装置１０が実現され得る。
【０１１２】
上記各実施形態および各種変形例をそれぞれ構成する全部または一部を、適宜、矛盾しない範囲で組み合わせ可能であることは、言うまでもない。
【符号の説明】
【０１１３】
１  建造物
１０  太陽電池装置
１１  第１仕切り部
１１ｂ  第１裏面（第３面）
１２  第２仕切り部
１３  太陽電池アレイ
１３ｍ  太陽電池モジュール
１４  給気部
１５  排気部
１６  移動部
１１１  第１透明部材
１２１  第２透明部材
１６２  移動機構部
Ｄ１  第１間隔
Ｄ２  第２間隔
Ｄ３  第３間隔
Ｄ４  第４間隔
Ｐｕ１  吊り下げ部材
Ｓｆ１  第１面
Ｓｆ２  第２面
Ｓｉ１  室内空間
Ｓｏ１  室外空間
Ｓｐ１  第１空間
Ｓｐ２  第２空間
【図１】
2020129873.tif 000003
【図２】
2020129873.tif 000004
【図３】
2020129873.tif 000005
【図４】
2020129873.tif 000006
【図５】
2020129873.tif 000007
【図６】
2020129873.tif 000008
【図７】
2020129873.tif 000009
【図８】
2020129873.tif 000010
【図９】
2020129873.tif 000011
【図１０】
2020129873.tif 000012
【図１１】
2020129873.tif 000013
【図１２】
2020129873.tif 000014
【図１３】
2020129873.tif 000015
【図１４】
2020129873.tif 000016